(57)【要約】  ワイヤレス通信システムにおけるいくつかの送信サブフレーム中の複数の送信レイヤの階層変調を通した増加したワイヤレス通信システム容量のための方法、システム、およびデバイスについて説明する。ベース変調レイヤ上、ならびにベース変調レイヤ上に重畳されるエンハンスメント変調レイヤ上の両方上に変調される通信を与え得る様々な展開シナリオがサポートされ得る。基準信号は、ベース変調レイヤとエンハンスメント変調レイヤとの両方のためのチャネル推定のために与えられ得る。
2017528027.tif 000002
【特許請求の範囲】
【請求項１】
ワイヤレス通信のための方法であって、
ベース変調レイヤ上で第１の送信期間中にマルチキャストブロードキャスト単一周波数ネットワーク（ＭＢＳＦＮ）送信を送信することと、
前記ベース変調レイヤ上に重畳されるエンハンスメント変調レイヤ上で前記第１の送信期間中にユニキャスト送信を送信することと
を備える、方法。
【請求項２】
前記第１の送信期間中に前記エンハンスメント変調レイヤ上で前記ユニキャスト送信中で送信される情報を復号する際に使用する基準信号を送信すること
をさらに備える、請求項１に記載の方法。
【請求項３】
前記基準信号が、前記ベース変調レイヤ上で送信されるＭＢＳＦＮ基準信号（ＭＢＳＦＮ−ＲＳ）の送信と同時に前記エンハンスメント変調レイヤ上で第１の送信機によって送信されるユーザ機器（ＵＥ）固有基準信号（ＵＥ−ＲＳ）である、請求項２に記載の方法。
【請求項４】
前記基準信号が、前記ベース変調レイヤの１つまたは複数のデータリソース要素をパンクチャする、請求項２に記載の方法。
【請求項５】
前記ユニキャスト送信と前記ＭＢＳＦＮ送信との両方が、拡張サイクリックプレフィックスを使用して送信される、請求項１に記載の方法。
【請求項６】
前記基準信号が、専用基準信号送信リソース中で送信される、請求項２に記載の方法。
【請求項７】
前記基準信号が、物理ダウンリンク制御チャネル（ＰＤＣＣＨ）と共有される基準信号送信リソース中で送信される、請求項２に記載の方法。
【請求項８】
前記ユニキャスト送信が、前記第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項２に記載の方法。
【請求項９】
前記コードブロックのうちの１つまたは複数のためのデータレートが、前記コードブロックと前記基準信号との間の持続時間の関数である、請求項８に記載の方法。
【請求項１０】
コードブロックの前記セットのためのデータレートを示す制御情報を送信すること
をさらに備える、請求項９に記載の方法。
【請求項１１】
１つまたは複数の他のユニキャスト送信が、前記第１の送信期間の外部で前記ベース変調レイヤ上で送信され、ここにおいて、前記他のユニキャスト送信の１つまたは複数の送信パラメータが、前記他のユニキャスト送信の送信リソースに関連する第１のチャネル状態情報（ＣＳＩ）報告に少なくとも部分的に基づき、
ここにおいて、前記エンハンスメント変調レイヤ上での前記ユニキャスト送信の１つまたは複数の送信パラメータが、前記エンハンスメント変調レイヤの送信リソースに関連する第２のＣＳＩ報告に少なくとも部分的に基づく、請求項２に記載の方法。
【請求項１２】
エンハンスメント変調レイヤユニキャスト送信のためのチャネル推定が、共通基準信号（ＣＲＳ）に少なくとも部分的に基づいて決定され、前記エンハンスメント変調レイヤユニキャスト送信のための雑音推定が、ＭＢＳＦＮ基準信号に少なくとも部分的に基づいて決定される、請求項１１に記載の方法。
【請求項１３】
ワイヤレス通信のための方法であって、
少なくとも第１のマルチキャストブロードキャスト単一周波数ネットワーク（ＭＢＳＦＮ）送信と、前記ＭＢＳＦＮ送信とともに同時に送信される少なくとも１つの他の送信とから情報を復号する際に使用する第１の基準信号を受信することと、
ベース変調レイヤ上でのマルチキャストブロードキャスト単一周波数ネットワーク（ＭＢＳＦＮ）送信と、前記ベース変調レイヤ上に重畳されるエンハンスメント変調レイヤ上での第２の送信とを備える信号を受信することと、
データが前記エンハンスメント変調レイヤから復号されるべきであると決定することと、
前記受信された第１の基準信号に少なくとも部分的に基づいて前記ベース変調レイヤからの干渉を緩和するために前記受信された信号に対して干渉緩和を実行することと、
前記受信された第１の基準信号に少なくとも部分的に基づいて前記エンハンスメント変調レイヤを復号することと
を備える、方法。
【請求項１４】
前記少なくとも１つの他の送信が、前記エンハンスメント変調レイヤ上で送信されるユニキャスト送信である、請求項１３に記載の方法。
【請求項１５】
前記第１の基準信号と前記ユニキャスト送信に関係する少なくとも第２の基準信号とを受信するためのタイミングを示す制御シグナリングを受信すること
をさらに備える、請求項１４に記載の方法。
【請求項１６】
前記第２の基準信号が、前記ベース変調レイヤ上で送信される前記第１の基準信号の送信と同時に前記ベース変調レイヤ上で第１の送信機によって送信されるユーザ機器（ＵＥ）固有基準信号（ＵＥ−ＲＳ）である、請求項１５に記載の方法。
【請求項１７】
前記第１の基準信号に基づいてチャネル推定を実行すること
をさらに備える、請求項１４に記載の方法。
【請求項１８】
前記ユニキャスト送信が、第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項１４に記載の方法。
【請求項１９】
前記第１の基準信号に少なくとも部分的に基づいて前記エンハンスメント変調レイヤ上で送信される前記ユニキャスト送信のためのチャネル推定を実行することと、ここにおいて、前記第１の基準信号が、共通基準信号（ＣＲＳ）である、
ＭＢＳＦＮ基準信号に少なくとも部分的に基づいて前記エンハンスメント変調レイヤ上で送信される前記ユニキャスト送信のための雑音推定を実行することと
をさらに備える、請求項１４に記載の方法。
【請求項２０】
ワイヤレス通信のための装置であって、
ベース変調レイヤ上で第１の送信期間中にマルチキャストブロードキャスト単一周波数ネットワーク（ＭＢＳＦＮ）送信を送信するための手段と、
前記ベース変調レイヤ上に重畳されるエンハンスメント変調レイヤ上で前記第１の送信期間中にユニキャスト送信を送信するための手段と
を備える、装置。
【請求項２１】
前記第１の送信期間中に前記エンハンスメント変調レイヤ上で前記ユニキャスト送信中で送信される情報を復号する際に使用する基準信号を送信するための手段
をさらに備える、請求項２０に記載の装置。
【請求項２２】
前記基準信号が、前記ベース変調レイヤ上で送信されるＭＢＳＦＮ基準信号（ＭＢＳＦＮ−ＲＳ）の送信と同時に前記エンハンスメント変調レイヤ上で第１の送信機によって送信されるユーザ機器（ＵＥ）固有基準信号（ＵＥ−ＲＳ）である、請求項２１に記載の装置。
【請求項２３】
前記基準信号が、前記ベース変調レイヤの１つまたは複数のデータリソース要素をパンクチャする、請求項２１に記載の装置。
【請求項２４】
前記ユニキャスト送信と前記ＭＢＳＦＮ送信との両方が、拡張サイクリックプレフィックスを使用して送信される、請求項２０に記載の装置。
【請求項２５】
前記基準信号が、専用基準信号送信リソース中で送信される、請求項２１に記載の装置。
【請求項２６】
前記基準信号が、物理ダウンリンク制御チャネル（ＰＤＣＣＨ）と共有される基準信号送信リソース中で送信される、請求項２１に記載の装置。
【請求項２７】
前記ユニキャスト送信が、前記第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項２１に記載の装置。
【請求項２８】
前記基準信号から時間的にさらに離れて離間された前記コードブロックのうちの１つまたは複数のためのデータレートが、前記基準信号に時間的により近くに離間された前記コードブロックのうちの１つまたは複数のためのデータレートよりも高い、請求項２７に記載の装置。
【請求項２９】
ワイヤレス通信のための装置であって、
少なくとも第１のマルチキャストブロードキャスト単一周波数ネットワーク（ＭＢＳＦＮ）送信と、前記ＭＢＳＦＮ送信とともに同時に送信される少なくとも１つの他の送信とから情報を復号する際に使用する第１の基準信号を受信するための手段と、
ベース変調レイヤ上でのマルチキャストブロードキャスト単一周波数ネットワーク（ＭＢＳＦＮ）送信と、前記ベース変調レイヤ上に重畳されるエンハンスメント変調レイヤ上での第２の送信とを備える信号を受信するための手段と、
データが前記エンハンスメント変調レイヤから復号されるべきであると決定するための手段と、
前記受信された第１の基準信号に少なくとも部分的に基づいて前記ベース変調レイヤからの干渉を緩和するために前記受信された信号に対して干渉緩和を実行するための手段と、
前記受信された第１の基準信号に少なくとも部分的に基づいて前記エンハンスメント変調レイヤを復号するための手段と
を備える、装置。
【請求項３０】
前記少なくとも１つの他の送信が、前記エンハンスメント変調レイヤ上で送信されるユニキャスト送信である、請求項２９に記載の装置。
【発明の詳細な説明】
【技術分野】
【０００１】
相互参照
[0001]本特許出願は、各々が本出願の譲受人に譲渡された、２０１５年６月１８日に出願された「Ｏｖｅｒｌａｙ  Ｕｎｉｃａｓｔ  ｏｒ  ＭＢＳＦＮ  Ｄａｔａ  Ｔｒａｎｓｍｉｓｓｉｏｎ  ｏｎ  Ｔｏｐ  ｏｆ  ＭＢＳＦＮ  Ｔｒａｎｓｍｉｓｓｉｏｎ」と題する、Ｓｕｎらによる米国特許出願第１４／７４３，３９５号、および２０１４年７月１１日に出願された「Ｏｖｅｒｌａｙ  Ｕｎｉｃａｓｔ  ｏｒ  ＭＢＳＦＮ  Ｄａｔａ  Ｔｒａｎｓｍｉｓｓｉｏｎ  ｏｎ  Ｔｏｐ  ｏｆ  ＭＢＳＦＮ  Ｔｒａｎｓｍｉｓｓｉｏｎ」と題する、Ｓｕｎらによる米国仮特許出願第６２／０２３，７０１号の優先権を主張する。
【０００２】
[0002]本開示は、たとえば、ワイヤレス通信システムに関し、より詳細には、ワイヤレス通信システムにおけるブロードキャスト送信中の複数の階層レイヤの同時送信に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００４】
[0004]ワイヤレス通信ネットワークは、各々がいくつかの個数のユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。さらに、いくつかのシステムは、アップリンク通信とダウンリンク通信の両方のために単一のキャリアが使用される時分割複信（ＴＤＤ：time-division duplex）を使用して動作し得、いくつかのシステムは、アップリンク通信とダウンリンク通信とのために別個のキャリア周波数が使用される周波数分割複信（ＦＤＤ：frequency-division duplex）を使用して動作し得る。
【０００５】
[0005]ワイヤレス通信ネットワークがより混雑するようになるにつれて、事業者は容量を増加させる方法を求めている。様々な手法は、トラフィックおよび／またはシグナリングのうちの一部をオフロードするために、スモールセル、無認可スペクトル、および／またはワイヤレスローカルエリアネットワーク（ＷＬＡＮ）を使用することを含み得る。ワイヤレス通信ネットワークを通して拡張データレートを与えるために、容量を増加する追加の手法も望ましいことがある。
【発明の概要】
【０００６】
[0006]ワイヤレス通信システムにおけるいくつかの送信サブフレーム中の複数の送信レイヤの階層変調（hierarchical modulation）を通した増加したシステム容量のための方法、システム、およびデバイスについて説明する。ベース変調レイヤ（base modulation layer）上、ならびにベース変調レイヤ（enhancement modulation layer）上に重畳される（superpositioned）エンハンスメント変調レイヤ上の両方上に変調される通信を与え得る様々な展開シナリオがサポートされ得る。したがって、同時データストリームが同じまたは異なるユーザ機器（ＵＥ）に送信され得る。エンハンスメント変調レイヤのための基準信号（ＲＳ）は、たとえば、マルチキャストブロードキャスト単一周波数ネットワーク（ＭＢＳＦＮ：multicast broadcast single frequency network）データリソース要素（ＲＥ）をパンクチャすること（puncturing）（すなわち、ＲＥ中でデータの代わりにＲＳを送信すること）か、またはＭＢＳＦＮデータＲＥ上にＲＳをオーバーレイする（すなわち、エンハンスメント変調レイヤ上でＲＳを送信する）ことを通して、ＭＢＳＦＮ送信のデータＲＥ中に与えられ得る。いくつかの展開では、エンハンスメント変調レイヤのための基準信号は、たとえば、符号分割多重化（ＣＤＭ）を通してＭＢＳＦＮ基準信号でオーバーレイされ得る。
【０００７】
[0007]いくつかの例では、ＭＢＳＦＮ送信は、ベース変調レイヤを使用して送信され得、ユニキャスト送信または第２のＭＢＳＦＮ送信は、ベース変調レイヤ上に重ね合わされる（superimposed）エンハンスメント変調レイヤを使用して同時に送信され得る。ベース変調レイヤとエンハンスメント変調レイヤとの両方を受信するＵＥは、ベース変調レイヤ上で受信されたコンテンツを復号し、ベース変調レイヤの信号を消去するために干渉消去（interference cancellation）を実行し得る。ＵＥは、次いで、エンハンスメント変調レイヤ上で受信されたコンテンツを復号し得る。
【０００８】
[0008]例の第１のセットによれば、ワイヤレス通信のための方法であって、ベース変調レイヤ上で第１の送信期間中にＭＢＳＦＮ送信を送信することと、ベース変調レイヤ上に重畳されるエンハンスメント変調レイヤ上で第１の送信期間中にユニキャスト送信を送信することとを含む方法について説明する。
【０００９】
[0009]例の第１のセットによれば、プロセッサと、プロセッサと電子通信しているメモリと、メモリ中に記憶された命令とを含む、ワイヤレス通信のための装置について説明する。本命令は、ベース変調レイヤ上で第１の送信期間中にＭＢＳＦＮ送信を送信することと、ベース変調レイヤ上に重畳されるエンハンスメント変調レイヤ上で第１の送信期間中にユニキャスト送信を送信することとを行うためにプロセッサによって実行可能であり得る。
【００１０】
[0010]例の第１のセットによれば、ベース変調レイヤ上で第１の送信期間中にＭＢＳＦＮ送信を送信するための手段と、ベース変調レイヤ上に重畳されるエンハンスメント変調レイヤ上で第１の送信期間中にユニキャスト送信を送信するための手段とを含む、ワイヤレス通信のための装置について説明する。
【００１１】
[0011]例の第１のセットによれば、ベース変調レイヤ上で第１の送信期間中にＭＢＳＦＮ送信を送信することと、ベース変調レイヤ上に重畳されるエンハンスメント変調レイヤ上で第１の送信期間中にユニキャスト送信を送信することとを行うように、プロセッサによって実行可能な命令を含む、ワイヤレス通信のためのコードを記憶する非一時的コンピュータ可読媒体について説明する。
【００１２】
[0012]例の第１のセットの方法、装置、および／または非一時的コンピュータ可読媒体のいくつかの態様は、第１の送信期間中にエンハンスメント変調レイヤ上でユニキャスト送信中で送信される情報を復号する際に使用する基準信号を送信する特徴、そうするため手段、および／またはそうするためのプロセッサ実行可能命令をさらに含み得る。基準信号は、たとえば、エンハンスメント変調レイヤ上で第１の送信機によって送信され得る。いくつかの例では、基準信号がいつ送信されるべきであるのかを示し得るタイミング情報が与えられ得る。そのようなタイミング情報は、たとえば、システム情報ブロック（ＳＩＢ）、マスタ情報ブロック（ＭＩＢ）のうちの１つまたは複数中で、あるいは無線リソース制御（ＲＲＣ）シグナリング中に送信され得る。
【００１３】
[0013]いくつかの例では、基準信号は、ベース変調レイヤ上で送信されるＭＢＳＦＮ基準信号（ＭＢＳＦＮ−ＲＳ）の送信と同時にエンハンスメント変調レイヤ上で第１の送信機によって送信されるユーザ機器（ＵＥ）固有基準信号（ＵＥ−ＲＳ）であり得る。ＵＥ−ＲＳおよびＭＢＳＦＮ−ＲＳは、いくつかの例では、符号分割多重化され得る。いくつかの例では、基準信号は、ベース変調レイヤの１つまたは複数のデータリソース要素をパンクチャし得る。いくつかの例では、基準信号は、エンハンスメント変調レイヤ中で送信され得る。
【００１４】
[0014]いくつかの例では、ユニキャスト送信は、第１の送信機によって送信され得、基準信号は、第１の送信機によってエンハンスメント変調レイヤ中で同時に送信され得る。いくつかの例では、基準信号がいつ送信されるべきであるのかを示すタイミング情報が送信され得る。そのようなタイミング情報は、たとえば、ＳＩＢ、ＭＩＢのうちの１つまたは複数中で、あるいはＲＲＣシグナリング中に送信され得る。
【００１５】
[0015]さらなる例では、ユニキャスト送信とＭＢＳＦＮ送信との両方は、拡張サイクリックプレフィックスを使用して送信され得る。いくつかの例では、基準信号は、ＭＢＳＦＮ送信のために使用されるリソースの外部で第１の送信期間中に送信され得る。たとえば、基準信号は、専用基準信号送信リソース中で、または物理ダウンリンク制御チャネル（ＰＤＣＣＨ）と共有される基準信号送信リソース中で送信され得る。
【００１６】
[0016]いくつかの例では、ユニキャスト送信は、第１の送信期間中に送信されるコードブロックのセットを使用して送信され得、コードブロックのセットの各コードブロックのためのデータレートは、第１の送信期間内の送信時間に少なくとも部分的に基づいて決定され得る。コードブロックのうちの１つまたは複数のためのデータレートは、コードブロック間の持続時間の関数であり、基準信号から時間的にさらに離れて離間された（spaced further in time away from the reference signal）コードブロックのうちの１つまたは複数のためのデータレートは、基準信号に時間的により近くに離間された（spaced closer in time to the reference signal）コードブロックのうちの１つまたは複数のためのデータレートよりも高い。いくつかの例では、コードブロックのセットのためのデータレートを示す制御情報が送信され得る。
【００１７】
[0017]さらなる例では、１つまたは複数の他のユニキャスト送信は、第１の送信期間の外部でベース変調レイヤ上で送信され得、他のユニキャスト送信の１つまたは複数の送信パラメータは、他のユニキャスト送信の送信リソースに関連する第１のチャネル状態情報（ＣＳＩ）報告に少なくとも部分的に基づき得、エンハンスメント変調レイヤユニキャスト送信の１つまたは複数の送信パラメータは、エンハンスメント変調レイヤの送信リソースに関連する第２のＣＳＩ報告に少なくとも部分的に基づき得る。いくつかの例では、エンハンスメント変調レイヤユニキャスト送信のためのチャネル推定は、共通基準信号（ＣＲＳ）に少なくとも部分的に基づいて決定され得、エンハンスメント変調レイヤユニキャスト送信のための雑音推定は、ＭＢＳＦＮ基準信号に少なくとも部分的に基づいて決定され得る。いくつかの例では、基準信号は、ＣＲＳであり得る。
【００１８】
[0018]例の第２のセットによれば、ワイヤレス通信のための方法について説明し、本方法は、１つまたは複数のＭＢＳＦＮ送信期間中に送信する際に使用するアグリゲート電力レベルを決定することと、ベース変調レイヤ上で第１の送信期間中に第１のＭＢＳＦＮ送信を第１の電力レベルで送信することと、第１の電力レベルはアグリゲート電力レベルよりも小さい、ベース変調レイヤ上に重畳されるエンハンスメント変調レイヤ上で第１の送信期間中に第２のＭＢＳＦＮ送信を第２の電力レベルで送信することと、第２の電力レベルは第１の電力レベルとアグリゲート電力レベルとの間の差である、および、少なくとも第１のＭＢＳＦＮ送信中で送信される情報を復号する際に使用する基準信号を送信することと、基準信号電力レベルは第１の電力レベルに対応する、を含み得る。
【００１９】
[0019]例の第２のセットによれば、ワイヤレス通信のための装置について説明し、本装置は、プロセッサと、プロセッサと電子通信しているメモリと、メモリ中に記憶された命令とを含み得る。本命令は、１つまたは複数のＭＢＳＦＮ送信期間中に送信する際に使用するアグリゲート電力レベルを決定することと、ベース変調レイヤ上で第１の送信期間中に第１のＭＢＳＦＮ送信を第１の電力レベルで送信することと、第１の電力レベルはアグリゲート電力レベルよりも小さい、ベース変調レイヤ上に重畳されるエンハンスメント変調レイヤ上で第１の送信期間中に第２のＭＢＳＦＮ送信を第２の電力レベルで送信することと、第２の電力レベルは第１の電力レベルとアグリゲート電力レベルとの間の差である、および、少なくとも第１のＭＢＳＦＮ送信中で送信される情報を復号する際に使用する基準信号を送信することと、基準信号電力レベルは第１の電力レベルに対応する、を行うためにプロセッサによって実行可能であり得る。
【００２０】
[0020]例の第２のセットによれば、ワイヤレス通信のための装置について説明し、本装置は、１つまたは複数のＭＢＳＦＮ送信期間中に送信する際に使用するアグリゲート電力レベルを決定するための手段と、ベース変調レイヤ上で第１の送信期間中に第１のＭＢＳＦＮ送信を第１の電力レベル送信するための手段と、第１の電力レベルはアグリゲート電力レベルよりも小さい、ベース変調レイヤ上に重畳されるエンハンスメント変調レイヤ上で第１の送信期間中に第２のＭＢＳＦＮ送信を第２の電力レベルで送信するための手段と、第２の電力レベルは第１の電力レベルとアグリゲート電力レベルとの間の差である、および、少なくとも第１のＭＢＳＦＮ送信中で送信される情報を復号する際に使用する基準信号を送信するための手段と、基準信号電力レベルは第１の電力レベルに対応する、を含み得る。
【００２１】
[0021]例の第２のセットによれば、ワイヤレス通信のためのコードを記憶する非一時的コンピュータ可読媒体について説明する。本コードは、１つまたは複数のＭＢＳＦＮ送信期間中に送信する際に使用するアグリゲート電力レベルを決定することと、ベース変調レイヤ上で第１の送信期間中に第１のＭＢＳＦＮ送信を第１の電力レベル送信することと、第１の電力レベルはアグリゲート電力レベルよりも小さい、ベース変調レイヤ上に重畳されるエンハンスメント変調レイヤ上で第１の送信期間中に第２のＭＢＳＦＮ送信を第２の電力レベルで送信することと、第２の電力レベルは第１の電力レベルとアグリゲート電力レベルとの間の差である、および、少なくとも第１のＭＢＳＦＮ送信中で送信される情報を復号する際に使用する基準信号を送信することと、基準信号電力レベルは第１の電力レベルに対応する、を行うためにプロセッサによって実行可能な命令を含み得る。
【００２２】
[0022]例の第２のセットの方法、装置、および／または非一時的コンピュータ可読媒体のいくつかの態様では、第２のＭＢＳＦＮ送信は、基準信号として重複しないリソース中で送信され得る。いくつかの例では、基準信号は、第１のＭＢＳＦＮ送信と第２のＭＢＳＦＮ送信との両方を復号する際に使用するためのものであり得る。第１の電力レベルと基準信号電力レベルとの間のトラフィック対パイロット（Ｔ２Ｐ：traffic-to-pilot）比は、いくつかの例では、０ｄＢであり得る。いくつかの例では、第１の電力レベルと第２の電力レベルとの間の比率の指示が送信され得る。いくつかの例では、そのような指示は、ＳＩＢ、ＭＩＢのうちの１つまたは複数中で、またはＲＲＣシグナリング中に与えられ得る。いくつかの例では、第１のＭＢＳＦＮ送信と第２のＭＢＳＦＮ送信とは、同じアンテナポートを使用し得る。他の例では、第１のＭＢＳＦＮ送信と第２のＭＢＳＦＮ送信とは、異なるアンテナポートを使用し得る。
【００２３】
[0023]いくつかの例では、基準信号は、第１のＭＢＳＦＮ送信を復号する際に使用するためのものであり得、第２の基準信号は、第２のＭＢＳＦＮ送信を復号する際に使用するために送信され得る。いくつかの例では、第２の基準信号は、第１の基準信号の送信の周りでレートマッチングされる（rate matched around）。いくつかの例では、第２の基準信号の密度は、第１のＭＢＳＦＮ送信を復号する際に使用する基準信号の密度と比較して低減され得る。さらなる例では、第２の基準信号は、ベース変調レイヤデータリソース要素の送信中に送信され得る。追加または代替として、第２の基準信号は、ベース変調レイヤデータリソース要素の送信中にエンハンスメント変調レイヤを使用して送信され得る。いくつかの例では、ベース変調レイヤを使用した送信は、エンハンスメント変調レイヤを使用した送信とは異なるプリコーディング行列を使用し得る。
【００２４】
[0024]いくつかの例では、第１のＭＢＳＦＮ送信の１つまたは複数の送信パラメータは、ベース変調レイヤの送信リソースに関連する第１のＣＳＩ報告に少なくとも部分的に基づき得、第２のＭＢＳＦＮ送信の１つまたは複数の送信パラメータは、エンハンスメント変調レイヤの送信リソースに関連する第２のＣＳＩ報告に少なくとも部分的に基づき得る。いくつかの例では、第２のＭＢＳＦＮ送信のためのチャネル推定は、ＣＲＳに少なくとも部分的に基づいて決定され得、第２のＭＢＳＦＮ送信のための雑音推定は、ＭＢＳＦＮ基準信号に少なくとも部分的に基づいて決定され得る。
【００２５】
[0025]例の第３のセットによれば、ワイヤレス通信のための方法について説明し、本方法は、少なくとも第１のＭＢＳＦＮ送信と、ＭＢＳＦＮ送信とともに同時に送信される少なくとも１つの他の送信とから情報を復号する際に使用する第１の基準信号を受信することと、ベース変調レイヤ上でのＭＢＳＦＮ送信と、ベース変調レイヤ上に重畳されるエンハンスメント変調レイヤ上での第２の送信とを備える信号を受信することと、データがエンハンスメント変調レイヤから復号されるべきであると決定することと、受信された第１の基準信号に少なくとも部分的に基づいてベース変調レイヤからの干渉を緩和するために受信信号に対して干渉緩和を実行することと、受信された第１の基準信号に少なくとも部分的に基づいてエンハンスメント変調レイヤを復号することとを含み得る。
【００２６】
[0026]例の第３のセットによれば、ワイヤレス通信のための装置について説明し、本装置は、プロセッサと、プロセッサと電子通信しているメモリと、メモリ中に記憶された命令とを含み得る。本命令は、少なくとも第１のＭＢＳＦＮ送信と、ＭＢＳＦＮ送信とともに同時に送信される少なくとも１つの他の送信とから情報を復号する際に使用する第１の基準信号を受信することと、ベース変調レイヤ上でのＭＢＳＦＮ送信と、ベース変調レイヤ上に重畳されるエンハンスメント変調レイヤ上での第２の送信とを備える信号を受信することと、データがエンハンスメント変調レイヤから復号されるべきであると決定することと、受信された第１の基準信号に少なくとも部分的に基づいてベース変調レイヤからの干渉を緩和するために受信信号に対して干渉緩和を実行することと、受信された第１の基準信号に少なくとも部分的に基づいてエンハンスメント変調レイヤを復号することとを行うためにプロセッサによって実行可能であり得る。
【００２７】
[0027]例の第３のセットによれば、ワイヤレス通信のための装置について説明し、本装置は、少なくとも第１のＭＢＳＦＮ送信と、ＭＢＳＦＮ送信とともに同時に送信される少なくとも１つの他の送信とから情報を復号する際に使用する第１の基準信号を受信するための手段と、ベース変調レイヤ上でのＭＢＳＦＮ送信と、ベース変調レイヤ上に重畳されるエンハンスメント変調レイヤ上での第２の送信とを備える信号を受信するための手段と、データがエンハンスメント変調レイヤから復号されるべきであると決定するための手段と、受信された第１の基準信号に少なくとも部分的に基づいてベース変調レイヤからの干渉を緩和するために受信信号に対して干渉緩和を実行するための手段と、受信された第１の基準信号に少なくとも部分的に基づいてエンハンスメント変調レイヤを復号するための手段とを含み得る。
【００２８】
[0028]例の第３のセットによれば、ワイヤレス通信のためのコードを記憶する非一時的コンピュータ可読媒体について説明する。本コードは、少なくとも第１のＭＢＳＦＮ送信と、ＭＢＳＦＮ送信とともに同時に送信される少なくとも１つの他の送信とから情報を復号する際に使用する第１の基準信号を受信することと、ベース変調レイヤ上でのＭＢＳＦＮ送信と、ベース変調レイヤ上に重畳されるエンハンスメント変調レイヤ上での第２の送信とを備える信号を受信することと、データがエンハンスメント変調レイヤから復号されるべきであると決定することと、受信された第１の基準信号に少なくとも部分的に基づいてベース変調レイヤからの干渉を緩和するために受信信号に対して干渉緩和を実行することと、受信された第１の基準信号に少なくとも部分的に基づいてエンハンスメント変調レイヤを復号することとを行うためにプロセッサによって実行可能な命令を含み得る。
【００２９】
[0029]例の第３のセットの方法、装置、および／または非一時的コンピュータ可読媒体のいくつかの態様では、少なくとも１つの他の送信は、エンハンスメント変調レイヤ上で送信されるユニキャスト送信であり得る。いくつかの例では、第１の基準信号と、ユニキャスト送信に関係する少なくとも第２の基準信号とを受信するためのタイミングを示す制御シグナリングが受信され得る。制御シグナリングは、たとえば、少なくとも第２の基準信号の送信のためのタイミングを示し得る。タイミングは、いくつかの例では、第２の基準信号がベース変調レイヤ上でＭＢＳＦＮ送信中に送信されるべきであることを示す。いくつかの例では、第２の基準信号が受信され得、エンハンスメント変調レイヤは、受信された第１の基準信号に少なくとも部分的に基づいて復号され得る。いくつかの例では、タイミングは、少なくとも１つの他の基準信号がベース変調レイヤ上でＭＢＳＦＮ送信中に送信されるべきであることを、および少なくとも１つの他の基準信号が送信されるときに受信される送信は無視され得ることを示し得る。
【００３０】
[0030]いくつかの例では、第２の基準信号は、ベース変調レイヤ上で送信される第１の基準信号の送信と同時にベース変調レイヤ上で第１の送信機によって送信されるＵＥ−ＲＳであり得、ＵＥ−ＲＳと第１の基準信号とは、符号分割多重化される。いくつかの例では、第１の基準信号と第２の基準信号とは、符号分割多重化解除され（de-code division multiplexed）得、エンハンスメント変調レイヤは、受信されたＵＥ−ＲＳに少なくとも部分的に基づいて復号され得る。いくつかの例では、最小平均２乗誤差（ＭＭＳＥ：minimum mean squared error）前処理が、受信されたＵＥ−ＲＳに対して実行され得、広帯域チャネル推定が、第１の基準信号に基づいて実行され得、第１の基準信号は、ＵＥ−ＲＳを取得するために消去され得、ユニキャストチャネルが、ＵＥ−ＲＳに少なくとも部分的に基づいて推定され得る。
【００３１】
[0031]いくつかの例では、チャネル推定が、第１の基準信号に基づいて実行され得る。さらなる例では、ユニキャスト送信は、第１の送信期間中に送信されるコードブロックのセットを使用して送信され得、コードブロックのセットの各コードブロックのためのデータレートは、第１の送信期間内の送信時間に少なくとも部分的に基づいて決定され得る。基準信号から時間的にさらに離れて離間されたコードブロックのうちの１つまたは複数のためのデータレートは、たとえば、基準信号に時間的により近くに離間されたコードブロックのうちの１つまたは複数のためのデータレートとは異なり得る。いくつかの例では、１つまたは複数の他のユニキャスト送信は、第１のＭＢＳＦＮ送信を送信するための時間期間の外部でベース変調レイヤ上で送信され得、チャネル推定は、第１の基準信号に少なくとも部分的に基づいてエンハンスメント変調レイヤ上で送信されるユニキャスト送信のために実行され得、ここにおいて、第１の基準信号は、ＣＲＳであり、雑音推定は、ＭＢＳＦＮ基準信号に少なくとも部分的に基づいてエンハンスメント変調レイヤ送信上で送信されるユニキャスト送信のために決定され得る。
【００３２】
[0032]いくつかの例では、少なくとも１つの他の送信は、エンハンスメント変調レイヤ上で送信される第２のＭＢＳＦＮ送信であり得る。いくつかの例では、第１の基準信号の電力レベルがベース変調レイヤを使用して送信されるＭＢＳＦＮ送信の電力レベルに対応することを示す制御シグナリングが受信され得る。制御シグナリングは、たとえば、ベース変調レイヤ上でのＭＢＳＦＮ送信の電力レベルと、エンハンスメント変調レイヤ上での第２のＭＢＳＦＮ送信の第２の電力レベルとの間の比率を含み得る。いくつかの例では、制御シグナリングは、ＳＩＢ、ＭＩＢのうちの１つまたは複数中で、またはＲＲＣシグナリング中に受信され得る。
【００３３】
[0033]いくつかの例では、チャネル推定は、第１の基準信号に少なくとも部分的に基づいて第２のＭＢＳＦＮ送信のために実行され得、第１の基準信号は、ＣＲＳであり得、雑音推定は、ＭＢＳＦＮ基準信号に少なくとも部分的に基づいて第２のＭＢＳＦＮ送信のために決定され得る。
【００３４】
[0034]いくつかの例では、ＭＢＳＦＮ送信の各々は、同じアンテナポートを使用し得る。他の例では、第１のＭＢＳＦＮ送信と第２のＭＢＳＦＮ送信とは、異なるアンテナポートを使用し得る。いくつかの例では、第１の基準信号は、ベース変調レイヤＭＢＳＦＮ送信を復号する際に使用するためのものであり、第２の基準信号は、第２のＭＢＳＦＮ送信を復号する際に使用するために受信され得る。第２の基準信号は、第１の基準信号の送信の周りでレートマッチングされ得る。いくつかの例では、第２の基準信号の密度は、第１の基準信号の密度と比較して低減され得る。いくつかの例では、第２の基準信号は、ベース変調レイヤデータリソース要素の送信中に送信され得る。いくつかの例では、第２の基準信号は、ベース変調レイヤデータリソース要素の送信中にエンハンスメント変調レイヤを使用して受信され得る。
【００３５】
[0035]説明する特徴は、たとえば、フェムトセル中での不連続ダウンストリーム送信のための１つまたは複数の改善されたシステム、方法、および／または装置に関する。説明する方法および装置の適用性のさらなる範囲は、以下の詳細な説明、特許請求の範囲、および図面から明らかになろう。当業者には詳細な説明の趣旨および範囲内の様々な変更および改変が明らかになるので、詳細な説明および特定の例は、例示として与えられるものにすぎない。
【００３６】
[0036]本開示の性質および利点のより一層の理解は、以下の図面を参照することによって実現され得る。添付の図では、同様の構成要素または特徴は、同一の参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００３７】
【図１】[0037]本開示の様々な態様による、ワイヤレス通信システムの一例を示す図。
【図２】[0038]本開示の様々な態様による、階層変調環境を示す図。
【図３】[0039]本開示の様々な態様による、階層変調環境を示す図。
【図４】[0040]本開示の様々な態様による、基地局中のコンテンツの階層変調のための方法のフローチャート。
【図５】[0041]本開示の様々な態様による、階層変調のために使用され得るデバイスのブロック図。
【図６】[0042]本開示の様々な態様による、エンハンスメントレイヤ・ユニキャストおよびベースレイヤ・マルチキャスト・ブロードキャスト単一周波数ネットワーク（ＭＢＳＦＮ）基準信号のための基準信号ロケーションの図。
【図７】[0043]本開示の様々な態様による、符号分割多重化されたエンハンスメントレイヤ・ユニキャストおよびベースレイヤＭＢＳＦＮ基準信号のための基準信号ロケーションの図。
【図８】[0044]本開示の様々な態様による、エンハンスメントレイヤ・ユニキャストおよびベースレイヤＭＢＳＦＮ基準信号のための基準信号ロケーションの別の図。
【図９】[0045]本開示の様々な態様による、エンハンスメントレイヤ・ユニキャストおよびベースレイヤＭＢＳＦＮ基準信号のための共通基準信号ロケーションの別の図。
【図１０】[0046]本開示の様々な態様による、別の階層変調環境を示す図。
【図１１】[0047]本開示の様々な態様による、基地局中のコンテンツの階層変調のための方法のフローチャート。
【図１２】[0048]本開示の様々な態様による、階層変調のために使用され得るデバイスのブロック図。
【図１３】[0049]本開示の様々な態様による、エンハンスメントレイヤＭＢＳＦＮおよびベースレイヤＭＢＳＦＮ基準信号のための基準信号ロケーションの図。
【図１４】[0050]本開示の様々な態様による、ユーザ機器における階層変調のために使用され得るデバイスのブロック図。
【図１５】[0051]本開示の様々な態様による、ユーザ機器における階層変調のために使用され得る別のデバイスのブロック図。
【図１６】[0052]本開示の様々な態様による、ユーザ機器中のコンテンツの階層変調のための方法のフローチャート。
【図１７】[0053]様々な例による、基地局アーキテクチャの一例を示すブロック図。
【図１８】[0054]様々な例による、ユーザ機器（ＵＥ）アーキテクチャの一例を示すブロック図。
【図１９】[0055]様々な例による、多入力多出力（ＭＩＭＯ）通信システムの一例を示すブロック図。
【図２０】[0056]様々な例による、ワイヤレス通信のための方法のフローチャート。
【図２１】[0057]様々な例による、ワイヤレス通信のための別の方法のフローチャート。
【図２２】[0058]様々な例による、ワイヤレス通信のための別の方法のフローチャート。
【詳細な説明】
【００３８】
[0059]ワイヤレス通信システム内でのブロードキャスト送信中の階層変調のための技法について説明する。基地局（たとえば、拡張ノードＢ（ｅＮＢ））および／またはユーザ機器（ＵＥ）は、ワイヤレス通信システム内で動作するように構成され得、ベース変調レイヤ上、ならびにベース変調レイヤ上に重畳されるエンハンスメント変調レイヤ上の両方上でワイヤレス通信を送信／受信し得る。したがって、同時非直交データストリーム（concurrent, non-orthogonal data streams）が同じまたは異なるＵＥに与えられ得、各変調レイヤが、特定の展開および／またはチャネル状態に基づいて選択され得るコンテンツを送信するために使用され得る。エンハンスメント変調レイヤのための１つまたは複数の基準信号（ＲＳ）は、たとえば、マルチキャストブロードキャスト単一周波数ネットワーク（ＭＢＳＦＮ）データリソース要素（ＲＥ）をパンクチャすること（すなわち、ＲＥ中のデータの代わりにＲＳを送信すること）か、またはＭＢＳＦＮデータＲＥ上にＲＳをオーバーレイする（すなわち、エンハンスメント変調レイヤ上でＲＳを送信する）ことを通して、ＭＢＳＦＮ送信のデータＲＥ中に与えられ得る。いくつかの展開では、エンハンスメント変調レイヤのための基準信号は、たとえば、符号分割多重化（ＣＤＭ）を通してＭＢＳＦＮ基準信号でオーバーレイされ得る。
【００３９】
[0060]いくつかの例では、第１のコンテンツがベース変調レイヤ上での送信のために選択され得、異なるコンテンツがエンハンスメント変調レイヤ上での送信のために選択され得る階層変調を通して基地局からＵＥに同時非直交ワイヤレス通信データストリームが与えられ得る。上記のように、ベース変調レイヤは、ＭＢＳＦＮ送信など、基地局からＵＥにブロードキャストデータを送信するために使用され得、エンハンスメント変調レイヤは、エンハンスメント変調レイヤの信頼できる受信および復号を可能にするチャネル状態を有するＵＥに他のブロードキャストデータまたはユニキャストデータを送信するために使用され得る。ベース変調レイヤとエンハンスメント変調レイヤとの両方を受信するＵＥは、ベース変調レイヤ上で受信されたコンテンツを復号し、次いで、ベース変調レイヤの信号を消去するために干渉消去を実行し得る。ＵＥは、次いで、エンハンスメント変調レイヤ上で受信されたコンテンツを復号し得る。本明細書で説明する例のうちのいくつかでは、ベース変調レイヤは、ベースレイヤ（ＢＬ）と呼ばれることがあり、エンハンスメント変調レイヤは、エンハンスメントレイヤ（ＥＬ）と呼ばれることがある。
【００４０】
[0061]本明細書で説明される技法は、ＬＴＥ（登録商標）に限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」および「ネットワーク」という用語は、しばしば互換的に使用される。ＣＤＭＡシステムは、ＣＤＭＡ２０００、ユニバーサル地上無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサル・モバイル通信システム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ（登録商標）：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書において記載される技法は、上述のシステムおよび無線技術、ならびに他のシステムおよび無線技術に使用され得る。しかしながら、以下の説明では、例としてＬＴＥシステムについて説明し、以下の説明の大部分でＬＴＥ用語が使用されるが、本技法はＬＴＥ適用例以外に適用可能である。
【００４１】
[0062]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００４２】
[0063]最初に図１を参照すると、図はワイヤレス通信システムまたはネットワーク１００の一例を示している。ワイヤレス通信システム１００は、基地局（またはセル）１０５と、（ＵＥ１１５とも呼ばれる）通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介してコアネットワーク１３０を用いて制御情報および／またはユーザデータを通信し得る。実施形態では、基地局１０５は、ワイヤードまたはワイヤレス通信リンクであり得るバックホールリンク１３４を介して互いと直接または間接的に通信し得る。ワイヤレス通信システム１００は、複数のキャリア（様々な周波数の波形信号）上での動作をサポートし得る。マルチキャリア送信機は、複数のキャリア上で同時に変調された信号を送信し得る。たとえば、各通信リンク１２５は、上記で説明した様々な無線技術に従って変調されたマルチキャリア信号であり得る。各変調された信号は、異なるキャリア上で送られ得、制御情報（たとえば、基準信号、制御チャネルなど）、オーバーヘッド情報、データなどを搬送し得る。
【００４３】
[0064]基地局１０５は、１つまたは複数の基地局アンテナを介してデバイス１１５とワイヤレス通信し得る。基地局１０５のサイトの各々は、それぞれの地理的カバレージエリア１１０に対して通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれることがある。基地局用の地理的カバレージエリア１１０は、カバレージエリアの一部分のみを構成するセクタ（図示せず）に分割され得る。ワイヤレス通信システム１００は、異なるタイプの基地局１０５（たとえば、マクロ基地局および／またはスモールセル基地局）を含み得る。異なる技術のための重複するカバレージエリアがあり得る。
【００４４】
[0065]いくつかの例では、ワイヤレス通信システム１００は、１つまたは複数のデバイス１１５に同時データストリームを与える階層変調をサポートするＬＴＥ／ＬＴＥ−Ａネットワークである。ワイヤレス通信システム１００は、異なるタイプのｅＮＢが様々な地理的領域に対してカバレージを提供する、異機種ＬＴＥ／ＬＴＥ−Ａネットワークであり得る。たとえば、各ｅＮＢ１０５は、通信カバレージをマクロセル、ピコセル、フェムトセル、および／または他のタイプのセルに対して与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、ネットワークプロバイダとのサービスに加入しているＵＥによる無制限アクセスを可能にし得る。スモールセルは、概して、比較的より小さい地理的エリアをカバーすることになり、ネットワークプロバイダとのサービスに加入しているＵＥによる無制限アクセスおよび／またはスモールセルとの関連を有するＵＥ（たとえば、限定加入者グループ（ＣＳＧ：closed subscriber group）中のＵＥ、自宅内のユーザのためのＵＥなど）による制限アクセスを可能にし得る。マクロセルのためのｅＮＢはマクロｅＮＢと呼ばれることがある。スモールセルのためのｅＮＢは、スモールセルｅＮＢ、フェムトｅＮＢまたはホームｅＮＢと呼ばれることがある。ｅＮＢは、１つまたは複数の（たとえば、２つ、３つ、４つなどの）セルをサポートし得る。
【００４５】
[0066]コアネットワーク１３０は、バックホールリンク１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）直接または間接的に、互いと通信し得る。ワイヤレス通信システム１００は、同期動作または非同期動作をサポートし得る。同期動作の場合、ｅＮＢは同様のフレームタイミングおよび／またはゲーティングタイミングを有し得、異なるｅＮＢからの送信は近似的に時間的に整列させられ（aligned）得る。非同期動作の場合、ｅＮＢは異なるフレームタイミングおよび／またはゲーティングタイミングを有し得、異なるｅＮＢからの送信は時間的に整列させられないことがある。本明細書で説明する技法は、同期動作または非同期動作のいずれかのために使用され得る。
【００４６】
[0067]ＵＥ１１５と呼ばれることもあるデバイス１１５はワイヤレス通信システム１００全体にわたって分散され、各ＵＥ１１５は固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。
【００４７】
[0068]ワイヤレス通信システム１００に示された通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。様々な例によれば、アップリンクおよびダウンリンク送信の一方または両方は、複数の階層変調レイヤを含み得、ここで、１つまたは複数のエンハンスメント変調レイヤは、ベース変調レイヤ上に変調され得る。ベース変調レイヤは、ベース変調レイヤ上に変調されるコンテンツを取得するために復号され得る。エンハンスメント変調レイヤは、ベース変調レイヤ（および、存在する場合は、他の下位の変調レイヤ）を消去し、得られた信号を復号することによって、復号され得る。
【００４８】
[0069]いくつかの例では、エンハンスメント変調レイヤのための１つまたは複数の基準信号（ＲＳ）は、たとえば、ＭＢＳＦＮデータリソース要素（ＲＥ）をパンクチャする（すなわち、ＲＥ中のデータの代わりにＲＳを送信する）ことか、またはＭＢＳＦＮデータＲＥ上にＲＳをオーバーレイする（すなわち、エンハンスメント変調レイヤ上でＲＳを送信する）ことを通して、ＭＢＳＦＮ送信などのブロードキャスト送信のデータＲＥ中に与えられ得る。いくつかの展開では、エンハンスメント変調レイヤのための基準信号は、たとえば、符号分割多重化（ＣＤＭ）を通してＭＢＳＦＮ基準信号でオーバーレイされ得る。ワイヤレス通信システム１００などのシステムにおけるエンハンスメント変調レイヤ送信を復号するために使用され得る階層変調と、関連する基準信号との実装形態、ならびにそのようなシステムの動作に関係する他の特徴および機能、に関するさらなる詳細を、図２〜図２３に関して以下に与える。
【００４９】
[0070]図２に、基地局１０５−ａが階層変調を使用して１つまたは複数のＵＥ１１５と通信し得るシステム２００を示す。システム２００は、たとえば、図１に示したワイヤレス通信システム１００の態様を示し得る。図２の例では、基地局１０５−ａは、基地局１０５−ａの地理的カバレージエリア１１０−ａ内のいくつかのＵＥ１１５−ａ、１１５−ｂ、および１１５−ｃと通信し得る。この例では、複数の変調レイヤはワイヤレス通信のために採用され得、ここで、ベース変調レイヤと１つまたは複数のエンハンスメント変調レイヤとは、基地局１０５−ａとＵＥ１１５との間で同時に送信され得る。ベース変調レイヤは、様々な例によれば、基地局１０５−ａとＵＥ１１５との間の信頼性の比較的高い通信を有するブロードキャスト送信を与え得、その結果、地理的カバレージエリア１１０−ａ内のＵＥ１１５がベース変調レイヤ上で送信されるコンテンツを復号することが可能になる可能性がより高まる。エンハンスメント変調レイヤは、様々な例によれば、ベース変調レイヤと比較して基地局１０５−ａとＵＥ１１５との間の信頼性の比較的低い通信を与え得る。したがって、エンハンスメント変調レイヤ上での送信は、信頼できる受信および復号を有するために、比較的良好なチャネル状態を有するＵＥ１１５に与えられ得る。
【００５０】
[0071]上述のように、エンハンスメント変調レイヤは、基地局１０５−ａとＵＥ１１５との間のチャネル状態に主に依存する受信に成功する可能性を有するベース変調レイヤと比較して、受信に成功する、より低い可能性を有し得る。図２に示す展開などのいくつかの展開では、ＵＥ１１５−ａおよび１１５−ｂは、領域２０５中の基地局１０５−ａの比較的近くに位置し得るが、ＵＥ１１５−ｃは、基地局１０５−ａの地理的カバレージエリア１１０−ａのセルエッジのより近くに位置し得る。領域２０５中に位置するＵＥ１１５−ａおよび１１５−ｂが階層変調につながる（conducive to）チャネル状態を有すると決定される場合、基地局１０５−ａは、そのような通信が採用され得ることをＵＥ１１５−ａおよび１１５−ｂにシグナリングし得る。そのような場合、通信リンク１２５−ａは、ベース変調レイヤとエンハンスメント変調レイヤとの両方を含み得、ＵＥ１１５−ａおよび１１５−ｂは、階層変調レイヤの各々の上での通信をサポートし得る。この例では、領域２０５の外部の、地理的カバレージエリア１１０−ａのセルエッジのより近くに位置するＵＥ１１５−ｃは、通信リンク１２５−ｂ中でベース変調レイヤのみを使用して通信するようにシグナリングされ得る。通信リンク１２５−ｂがベース変調レイヤとエンハンスメント変調レイヤとの両方で依然として送信され得るが、ＵＥ１１５−ｃは、エンハンスメント変調レイヤ上に変調されるコンテンツの受信および復号に成功する可能性が比較的低いので、エンハンスメント変調レイヤを復号しようと試みないことがある。他の例では、ＵＥ１１５のうちの１つまたは複数は、エンハンスメント変調レイヤ送信を受信し、復号する能力を有しないことがあり、その場合、ベース変調レイヤが、確立された技法に従って単に受信され、復号される。
【００５１】
[0072]ベース変調レイヤがＭＢＳＦＮ送信などのブロードキャスト送信を含む例では、ＭＢＳＦＮ送信のためにワイヤレス通信システム（たとえば、図１のワイヤレス通信システム１００）中の複数の基地局１０５にわたってサブフレームのセットが予約され得、ＭＢＳＦＮ送信は、予約されたサブフレーム中に帯域全体を介するものである。ＭＢＳＦＮ送信は、関連する基地局１０５−ａの地理的カバレージエリア１１０−ａ全体にわたるほとんど完全なカバレージを有するように設計され、そのような送信におけるデータレートは、図２中の地理的カバレージエリア１１０−ａのエッジの近くに位置するＵＥ１１５−ｃなど、比較的悪いチャネル状態を有するＵＥ１１５でもＭＢＳＦＮ送信を依然として受信し復号し得る可能性を高くするために比較的保守的（conservative）であり得る。したがって、ＭＢＳＦＮカバレージが９５％のユーザを対象としている場合、基地局１０５−ａのためのカバレージエリア内のＵＥ１１５のかなりの部分がＭＢＳＦＮ送信を確実に受信し、復号するのに十分な信号対雑音比（ＳＮＲ）よりも高いＳＮＲを有する可能性が高い。
【００５２】
[0073]様々な例が、この状況を利用し得、より小さいカバレージエリア２０５をもつユニキャストまたは別のＭＢＳＦＮサービスを送信するために、ＭＢＳＦＮ送信から一部の電力（some power）を借用し得る。いくつかの例によれば、ＭＢＳＦＮ送信は、拡張サイクリックプレフィックス（ＣＰ）を使用して送信され得るが、ユニキャスト送信は、ノーマルＣＰを使用してブロードキャストされ得る。ユニキャストデータがエンハンスメント変調レイヤを使用して送信される例では、そのようなユニキャストデータもベース変調レイヤと同じ数秘学（numerology）を使用して送信され得る。たとえば、ユニキャストエンハンスメントレイヤ送信は、ベース変調レイヤ上でのＭＢＳＦＮ送信の拡張ＣＰ（extended CP）を一致させる（match）ために拡張ＣＰを使用し得る。
【００５３】
[0074]いくつかの例では、ＭＢＳＦＮベース変調レイヤ送信からの一部の電力は、エンハンスメント変調レイヤを送信するために使用され得、したがって、ベース変調レイヤのＭＢＳＦＮカバレージの比較的小さい低減を犠牲にして追加のレイヤの容量を追加し得る。エンハンスメント変調レイヤは、上述のように、複数のＵＥ１１５への他のブロードキャスト送信または特定のＵＥ１１５へのユニキャスト送信を含み得る。たとえば、基地局１０５−ａは、比較的良好なチャネル状態を有するＵＥ１１５−ａおよび１１５−ｂへのユニキャスト送信をスケジュールし得る。ＵＥ１１５−ａおよび１１５−ｂにおける良好なチャネル状態は、比較的高いＳＮＲを有する、および、エンハンスメント変調レイヤ送信を取得するために消去され得るＭＢＳＦＮ信号を与える。ベース変調レイヤは、たとえば、コードワード干渉消去（ＣＷＩＣ：codeword interference cancellation）またはシンボルレベル干渉消去（ＳＬＩＣ：symbol level interference cancellation）などの１つまたは複数の確立された干渉消去技法を使用して消去され得る。したがって、高ジオメトリ（high geometry）ＵＥ１１５−ａおよび１１５−ｂの場合、エンハンスメント変調レイヤ上の比較的小さいユニキャスト電力は、適度に高いデータレートをサポートすることができる。さらに、いくつかの展開では、ＭＢＳＦＮ送信のためのカバレージは、エンハンスメント変調レイヤのための所望の容量に基づいて調整され得る。
【００５４】
[0075]様々な例が、ベース変調レイヤを使用したＭＢＳＦＮ送信について説明するが、本明細書で説明する技法はまた、たとえば、ＵＥ基準信号ベースの物理ダウンリンク制御チャネル（ＰＤＣＣＨまたはｅＰＤＣＣＨ）、物理ダウンリンク共有チャネル（ＰＤＳＣＨ）、物理マルチキャストチャネル（ＰＭＣＨ）、または高優先度データの送信など、１つまたは複数の他の送信を送信するためにベース変調レイヤが使用され得る展開において採用され得る。例では、エンハンスメント変調レイヤは、ＵＥ基準信号ベースの物理ダウンリンク共有チャネル（ＰＤＳＣＨまたはｅＰＤＳＣＨ）、ＰＭＣＨ、または別のＭＢＳＦＮ送信のうちのうちの１つまたは複数を送信するために使用され得る。
【００５５】
[0076]エンハンスメント変調レイヤがＭＢＳＦＮ送信を送信するために使用される例では、エンハンスメント変調レイヤ送信は、たとえば、ベース変調レイヤ送信中に与えられる解像度を補う（supplement the resolution）ためにより小さいカバレージエリア２０５中のＵＥ１１５に対してより高い解像度を与え得、またはエンハンスメント変調レイヤ送信は、より小さいカバレージエリア２０５内に位置するＵＥ１１５に対して追加のチャネルを与え得る。ベース変調レイヤとエンハンスメント変調レイヤとは、共有アンテナポートまたは別個のアンテナポートを使用し得る。いくつかの例では、以下でより詳細に説明するように、エンハンスメント変調レイヤ送信を受信し、復号することが可能でないことがあるＵＥ１１５に対する後方互換性は、ベース変調レイヤ上でのＭＢＳＦＮ送信に関連する１つまたは複数のＲＳの電力レベルの調整を通して維持され得る。
【００５６】
[0077]エンハンスメント変調レイヤがユニキャストデータ送信を送信するために使用される例では、そのような送信は、ある程度の量のＭＢＳＦＮカバレージがユニキャスト容量のために犠牲にされ得るときに採用され得る。ベースレイヤ送信とエンハンスメントレイヤ送信とは、そのような場合、効果的に同じアンテナポート上になく、エンハンスメント変調レイヤ送信を受信し、復号する際に使用する基準信号が与えられ得る。以下でより詳細に説明するように、そのような基準信号は、１つまたは複数のＭＢＳＦＮデータＲＥをパンクチャするＵＥ固有基準信号（ＵＥ−ＲＳ）、１つまたは複数のＭＢＳＦＮデータＲＥでオーバーレイされるＵＥ−ＲＳ、ＭＢＳＦＮ−ＲＳでオーバーレイされるＵＥ−ＲＳ、サブフレーム内の専用リソース中で送信されるＵＥ−ＲＳ、サブフレーム内の共用リソース中で送信されるＵＥ−ＲＳ、または共通基準信号（ＣＲＳ）ベースの基準信号を含み得る。
【００５７】
[0078]次に図３を参照すると、基地局１０５−ｂが階層変調を使用してＵＥ１１５−ｄおよびＵＥ１１５−ｅと通信していることがあるシステム３００を示す。システム３００は、たとえば、図１および／または図２に示すワイヤレス通信システム１００および／または２００の態様を示し得る。この例では、上記と同様に、複数の変調レイヤがワイヤレス通信のために採用され得、ここで、ベース変調レイヤ３０５とエンハンスメント変調レイヤ３１０とは基地局１０５−ｂとＵＥ１１５−ｄおよび１１５−ｅとの間で同時に送信され得る。この例では、ベース変調レイヤ３０５は、ＵＥ１１５−ｄおよびＵＥ１１５−ｅなどの複数の異なるＵＥに送信されるＭＢＳＦＮ送信などのブロードキャストデータを含み得る。
【００５８】
[0079]エンハンスメント変調レイヤ３１０は、この例では、ベース変調レイヤ３０５上に重畳され、ＵＥ１１５−ｄについてのユニキャストデータを含み得る。エンハンスメント変調レイヤとベース変調レイヤとは、基地局１０５−ｂからＵＥ１１５−ｄまでの間の単一の通信リンク中で送信され得る。この例では、ＵＥ１１５−ｅは、エンハンスメント変調レイヤ３１０を受信し、復号するのに十分なチャネル品質を有し、そうする能力を有し得るとしても、ＵＥ１１５−ｅは、ＵＥ１１５−ｅのためのコンテンツを含まないエンハンスメント変調レイヤ３１０に基づいてエンハンスメント変調レイヤ３１０を無視し得る。いくつかの例では、基地局１０５−ｂは、第１のＵＥ１１５−ｄがエンハンスメント変調レイヤ３１０を介してユニキャストデータを受信するようにスケジュールされることを示すシグナリングをＵＥ１１５−ｄおよび１１５−ｅに与え得る。したがって、エンハンスメント変調レイヤ３１０上でダウンリンク許可（downlink grant）を受信していない第２のＵＥ１１５−ｅは、エンハンスメント変調レイヤ３１０を無視し、ベース変調レイヤ３０５中に含まれている情報のみを復号し得る。
【００５９】
[0080]いくつかの例では、ベース変調レイヤ３０５上に与えられるブロードキャストデータは、物理マルチキャストチャネル（ＰＭＣＨ）を使用して送信されるＭＢＳＦＮコンテンツであり得、エンハンスメント変調レイヤ上に与えられるユニキャストデータは、ＰＤＳＣＨを使用して送信され得る。ＵＥ１１５−ｄおよび１１５−ｅは、いくつかの例では、ベース変調レイヤ上でブロードキャストデータを受信し、ブロードキャストデータの受信の肯定応答を送信しない。エンハンスメント変調レイヤ３１０を介してユニキャストデータを受信するＵＥ１１５−ｅは、例では、受信されたユニキャストデータに対してハイブリッド自動再送要求（ＨＡＲＱ）技法を実行し、ユニキャストデータの受信のＡＣＫ／ＮＡＣＫを送信し得る。エンハンスメント変調レイヤ３１０上でのユニキャスト送信を受信し、復号する際に使用するＵＥ基準信号（ＵＥ−ＲＳ）は、図４〜図９に関して以下で説明する１つまたは複数の技法に従って与えられ得る。ＵＥ−ＲＳは、ワイヤレス通信システム３００において確立された送信技法に従って送信される無線フレームのサブフレームなどの特定の送信期間中にベース変調レイヤ３０５上でのＭＢＳＦＮ送信とエンハンスメント変調レイヤ３１０上でのユニキャスト送信との両方を受信し、復号するために、１つまたは複数のＭＢＳＦＮ−ＲＳと併せて、使用され得る。したがって、基地局１０５−ｂは、ベース変調レイヤ３０５上で第１の送信期間中にＭＢＳＦＮ送信を送信し、ベース変調レイヤ３０５上に重畳されるエンハンスメント変調レイヤ３１０上で第１の送信期間中にユニキャスト送信を送信し得る。エンハンスメント変調レイヤ３１０上でユニキャスト送信中で送信される情報を復号する際に使用するＵＥ−ＲＳはまた、第１の送信期間中に送信される。いくつかの例では、基地局１０５−ｂは、ＵＥ−ＲＳがいつ送信されるべきあるのかを示すタイミング情報を送信し得る。タイミング情報は、たとえば、システム情報ブロック（ＳＩＢ）、マスタ情報ブロック（ＭＩＢ）のうちの１つまたは複数中で、あるいは無線リソース制御（ＲＲＣ）シグナリング中に与えられ得る。
【００６０】
[0081]次に図４を参照すると、本開示の態様による、ワイヤレス通信の方法の一例を概念的に示すフローチャートについて説明する。明快のために、方法４００について、図１、図２、および／または図３を参照しながら説明した基地局１０５のうちのいくつかを参照して以下で説明する。一例では、基地局は、以下で説明する機能を実行するために基地局またはデバイスの機能要素を制御するためのコードの１つまたは複数のセットを実行し得る。
【００６１】
[0082]ブロック４０５において、基地局は、ＭＢＳＦＮベースレイヤ（ＢＬ）送信中にエンハンスメントレイヤ（ＥＬ）上でユニキャストデータが送信されるべきであるかどうかを決定し得る。上述のように、基地局は、特定のＵＥが、エンハンスメントレイヤ送信を受信する能力を有し、エンハンスメント変調レイヤを使用してユニキャスト送信を受信するのに十分なチャネル状態を有すると決定し得る。いくつかの例では、ＵＥは、階層変調を使用してＭＢＳＦＮ送信とユニキャスト送信とをサポートする能力の指示を与え得る。いくつかの例では、ＵＥがまた、このサポートのデューティサイクルを示し得、これは、隣接するサブフレーム中での複数の変調レイヤの受信および復号を許可しないことがあるＵＥにおいて利用可能な処理リソース（processing resources）に基づき得る。基地局は、いくつかの例では、ＳＩＢ中での階層変調をサポートする能力を示し得、ＵＥは、ユニキャストオーバーレイ関連（unicast overlay related）のダウンリンク制御情報（ＤＣＩ）を監視することを回避し得る。他の例では、基地局は、階層変調能力をブロードキャストせず、複数の変調レイヤを受信する能力をもつＵＥにユニキャストオーバーレイをスケジュールすることだけを行い得る。そのような場合、ＵＥは、常に、ユニキャストオーバーレイ関連のＤＣＩを監視し得る。さらなる例では、基地局は、ユニキャストオーバーレイをサポートするサブフレームを示し得、その場合、ＵＥは、他のサブフレーム中でユニキャストオーバーレイＤＣＩを検出する必要はない。ユニキャストオーバーレイＤＣＩ内で、基地局はまた、いくつかの例では、（４位相シフトキーイング（ＱＰＳＫ）が採用される場合）ＭＢＳＦＮのためのトラフィック対パイロット比（ＴＰＲ）と、同じく、ベース変調レイヤ上でのユニキャスト送信のためのＴＰＲとは潜在的に異なり得るユニキャスト送信のためのＴＰＲとを与え得る。
【００６２】
[0083]ブロック４０５において、ユニキャストデータをエンハンスメントレイヤ上で送信すべきでないと決定される場合、基地局は、ブロック４１０に示すように、ベース変調レイヤを使用して、ＭＢＳＦＮ  ＲＳとコンテンツとを含むＭＢＳＦＮ送信を送信し得る。エンハンスメントレイヤを使用してＵＥにユニキャストデータを送信すべきであると決定される場合、基地局は、ブロック４１５において、ＵＥにおけるエンハンスメントレイヤ送信のチャネル推定および復調のための１つまたは複数のＵＥ−ＲＳを送信し得る。いくつかの例では、基地局は、エンハンスメント変調レイヤ上でのユニキャスト送信を受信するために、ＵＥに１つまたは複数のダウンリンク許可を与え得る。基地局はまた、例では、ベース変調レイヤとエンハンスメント変調レイヤとの間の送信エネルギー比、エンハンスメント変調レイヤのためのトランスポートブロックサイズ、またはエンハンスメント変調レイヤのためのコードレート、のうちの１つまたは複数を与え得る。いくつかの例では、ダウンリンク許可は、エンハンスメント変調レイヤ上でＵＥに送信されるデータのリソースブロックロケーション、エンハンスメント変調レイヤ上でＵＥに送信されるユニキャストデータの変調およびコーディング方式（ＭＣＳ）、エンハンスメント変調レイヤ上で送信するために使用されるプリコーディング行列、エンハンスメント変調レイヤのためのコードブロックサイズ、および／またはエンハンスメント変調レイヤのための空間レイヤの数、のうちの１つまたは組合せを含み得る。さらに、本明細書で説明する様々な例が単一のエンハンスメント変調レイヤを参照するが、本技法は複数のエンハンスメントレイヤに対しても使用され得る。
【００６３】
[0084]シグナリング情報は、いくつかの例では、エンハンスメントレイヤ上でユニキャスト送信を受信すべき各ＵＥに与えられるエンハンスメント変調レイヤについての情報を備える単一のダウンリンク許可中で与えられ得る。他の例では、シグナリング情報の一部分のすべてが、無線リソース制御（ＲＲＣ）シグナリングを使用して与えられ得、これは、たとえば、ベース変調レイヤとエンハンスメント変調レイヤとの間のエネルギー比、エンハンスメント変調レイヤのための変調方式、またはエンハンスメント変調レイヤのためのリソースブロックサイズを含み得る。そのような例では、ＲＲＣシグナリング中に与えられるパラメータは、半静的に構成され得、ダウンリンク許可は、そのような半静的に構成されたパラメータに基づき得る。いくつかの例では、シグナリング情報は、物理制御フォーマットインジケータチャネル（ＰＣＦＩＣＨ）を使用して与えられる。
【００６４】
[0085]引き続き図４を参照すると、ブロック４２０において、基地局は、ベース変調レイヤ上での送信のためのＭＢＳＦＮコンテンツを識別し得る。ＭＢＳＦＮコンテンツは、たとえば、基地局のカバレージエリア内に位置する複数のＵＥに与えられる音声および／またはビデオデータなどのストリーミングデータであり得る。ブロック４２５において、基地局は、エンハンスメント変調レイヤ上での送信のためのユニキャストデータを識別し得る。ブロック４３０において、基地局は、ベース変調レイヤ上にベースレイヤコンテンツを変調し得る。ベース変調レイヤコンテンツは、ベース変調レイヤ上でのＭＢＳＦＮ送信に関連するパラメータに従って、ベース変調レイヤ上に変調され得る。ブロック４３５において、基地局は、同様の方法でエンハンスメント変調レイヤ上にエンハンスメントレイヤコンテンツを変調し得る。ブロック４４０において、基地局は、ベース変調レイヤ上にエンハンスメント変調レイヤを重畳し得る。ブロック４４５において、基地局は、１つまたは複数のＵＥに重畳されたベース変調レイヤとエンハンスメント変調レイヤとを送信し得る。
【００６５】
[0086]図５は、本開示の態様による、ワイヤレス通信において使用するための基地局などのデバイス５０５を概念的に示すブロック図５００である。いくつかの例では、デバイス５０５は、図１、図２、および／または図３を参照しながら説明した基地局１０５の１つまたは複数の態様の一例であり得る。デバイス５０５はまた、プロセッサであり得る。デバイス５０５は、受信機モジュール５１０、基地局階層変調モジュール５２０、および／または送信機モジュール５３０を含み得る。これらの構成要素の各々は互いに通信していることがある。
【００６６】
[0087]デバイス５０５の構成要素は、適用可能な機能の一部または全部をハードウェア中で実行するように適応された１つまたは複数の特定用途向け集積回路（ＡＳＩＣ）を用いて、個々にまたはまとめて実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされて、メモリ中に具現される命令によって実装され得る。
【００６７】
[0088]いくつかの例では、受信機モジュール５１０は、２つ以上の階層変調レイヤ上での送信を受信するように動作可能な無線周波数（ＲＦ）受信機などのＲＦ受信機であるか、またはそれを含み得る。受信機モジュール５１０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して、様々なタイプのデータおよび／または制御信号（すなわち、送信）を受信するために使用され得る。
【００６８】
[0089]いくつかの例では、送信機モジュール５３０は、２つ以上の階層変調レイヤ上で（たとえば、ベース変調レイヤと１つまたは複数のエンハンスメント変調レイヤとを通して）送信するように動作可能なＲＦ送信機などのＲＦ送信機であるか、またはそれを含み得る。送信機モジュール５３０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して、様々なタイプのデータおよび／または制御信号（すなわち、送信）を送信するために使用され得る。
【００６９】
[0090]いくつかの例では、基地局階層変調モジュール５２０は、複数の階層変調レイヤを構成し、２つ以上の階層変調レイヤ上での送信をサポートするワイヤレス通信システムで動作するとき、デバイス５０５のための各階層変調レイヤ上で送信されるべきコンテンツを決定し得る。基地局階層変調モジュール５２０は、たとえば、図１〜図４に関して上記で説明し、図６〜図２３中の様々な例について以下で説明するような、たとえば、各階層変調レイヤ上での送信のためのコンテンツを決定すること、各階層変調レイヤ上でのコンテンツの変調を決定すること、および送信機モジュール５３０を通した送信のための階層変調レイヤの重畳を決定することを行うようにデバイス５０５を構成し得る。
【００７０】
[0091]いくつかの例では、基地局階層変調モジュール５２０は、ＭＢＳＦＮおよびユニキャストコンテンツ決定モジュール５５５と、エンハンスメントレイヤおよびベースレイヤコンテンツ変調モジュール５６０と、基準信号モジュール５６５と、重畳モジュール（superpositioning module）５７０とを含み得る。ＭＢＳＦＮおよびユニキャストコンテンツ決定モジュール５５５は、たとえば、図１〜図４に関して上記で説明したようなベース変調レイヤを使用してデバイス５０５から送信されるべきであるコンテンツと、エンハンスメント変調レイヤを使用してデバイス５０５から送信されるべきであるコンテンツとを決定し得る。エンハンスメントレイヤおよびベースレイヤコンテンツ変調モジュール５６０は、適切なベース変調レイヤまたはエンハンスメント変調レイヤ上に決定されたコンテンツを変調し得る。基準信号モジュール５６５は、ベースレイヤ送信およびエンハンスメントレイヤ送信を受信し、復号する際にＵＥが使用するためのベース変調レイヤおよびエンハンスメント変調レイヤのために送信されるべき様々な基準信号のうちの１つまたは複数を決定し得る。重畳モジュール５７０は、送信機モジュール５３０による送信のためにベース変調レイヤ上に変調されたエンハンスメント変調レイヤを重畳し得る。
【００７１】
[0092]いくつかの例では、ＭＢＳＦＮおよびユニキャストコンテンツ決定モジュール５５５は、ＵＥに関連するチャネル状態情報に基づいてベース変調レイヤおよびエンハンスメント変調レイヤ上での送信をＵＥが受信すべきであると決定し得る。ＭＢＳＦＮおよびユニキャストコンテンツ決定モジュール５５５は、いくつかのＵＥのためのＣＳＩを決定し、ＵＥの各々のためのＣＳＩに基づいてＵＥのうちのどれがベース変調レイヤまたはエンハンスメント変調レイヤのうちの１つまたは複数を受信すべきかを決定し得る。たとえば、決定されたＣＳＩに基づいてより低いチャネル品質を有すると決定された１つまたは複数のＵＥは、ベース変調レイヤを受信し得、決定されたＣＳＩに基づいてより高いチャネル品質を有すると決定された１つまたは複数のＵＥは、ＵＥに送信されるべきであるコンテンツに応じてエンハンスメント変調レイヤ、またはベースレイヤとエンハンスメントレイヤとの両方、を受信し得る。ユニキャストチャネル品質インジケータ（ＣＱＩ）計算の場合、ＭＢＳＦＮおよびユニキャストコンテンツ決定モジュール５５５は、ＭＢＳＦＮデータが消去され得ると仮定し得る。ＣＱＩ計算の場合、チャネルは、ＣＲＳを使用して推定され得、雑音は、ＭＢＳＦＮ−ＲＳを使用して推定され得る。重畳モジュール５７０は、送信機モジュール５３０による送信のためのパラメータに従ってベース変調レイヤ上にエンハンスメント変調レイヤを重畳し得る。
【００７２】
[0093]上記で説明したように、１つまたは複数の基準信号は、エンハンスメント変調レイヤを受信し、復号する際に使用するために送信され得る。エンハンスメント変調レイヤＲＳは、いくつかの例では、たとえば、ＭＢＳＦＮデータＲＥをパンクチャする（すなわち、ＲＥ中のデータの代わりにＲＳを送信する）ことか、またはＭＢＳＦＮデータＲＥ上にＲＳをオーバーレイする（すなわち、エンハンスメント変調レイヤ上でＲＳを送信する）ことを通して、ＭＢＳＦＮ送信のデータＲＥ中に与えられ得る。図６に、様々な基準信号のために使用される特定のリソースの指示を含む送信リソース６００の図を与える。この例では、無線フレームのいくつかの番号付けされたスロットを有する無線フレーム６０５の前半が示されている。無線フレーム６０５の各サブフレーム６２５は、スロット０  ６１０とスロット１  ６１５とを含む２つのスロットを含む。各スロットは、０．５ｍｓであり、いくつかのリソースブロック（ＲＢ）６２０を含む。リソースブロック６２０内で、いくつかのリソース要素６４０が、サブキャリア６３０とＯＦＤＭシンボル６３５とによって定義される。拡張サイクリックプレフィックス（ＣＰ）を使用する送信では、図６に示すように、各スロット中に６つのＯＦＤＭシンボルがある。基準信号は、リソース要素（ＲＥ）６４０のうちのいくつかを占有し、４つのユニキャスト基準信号（ＵＥ−ＲＳ）Ｒ0、Ｒ1、Ｒ2、およびＲ3を含み得、これは、それぞれ、アンテナポート０〜４のためのユニキャストＲＳに対応し得る。さらに、ＭＢＳＦＮ  ＲＳ、Ｒ4は、リソース要素中に与えられる。従来のＭＢＳＦＮ送信では、第１のスロット６１０の最初の２つのシンボルに続いてＲ4のみが送信される。
【００７３】
[0094]図６の例では、エンハンスメントレイヤ上のユニキャスト信号は、ポート７／８上の確立されたＵＥ−ＲＳと同様なＵＥ−ＲＳ  Ｒ0、Ｒ1、Ｒ2、および／またはＲ3を使用して送信される。さらに、ユニキャストデータがエンハンスメント変調レイヤ上で送信されるとき、そのデータは、ＭＢＳＦＮ−ＲＳ  Ｒ4の周りでのレートマッチング（rate matching around）を使用して送信される。これは、ＭＢＳＦＮチャネルが、大きい遅延拡散に起因して潜在的に非常に周波数選択的であるので実行され得、その結果、ＲＳトーン上のエンハンスメントレイヤデータによってもたらされる干渉をクリーンアップするために比較的少量の処理利得を生じ、残留雑音は、チャネルとして見なされる（counted as channel）ことになる。起こり得るこの残差は、エンハンスメントレイヤエネルギーと同じレベルになり、ベースレイヤ復号の後に、データＲＥは、推定されたチャネルで乗算することによって再構成される。したがって、再構成されたサンプルは、チャネル推定雑音と同じレベルの雑音を有し得、雑音レベルは、エンハンスメントレイヤエネルギーとほとんど同じである。したがって、ベースレイヤの消去の後、ＵＥ−ＲＳは、大きい残余誤差を有することになり、エンハンスメントレイヤのためのチャネル推定は問題があり得る。したがって、ＭＢＳＦＮ−ＲＳ  Ｒ4の周りでのエンハンスメントレイヤのレートマッチングが、よりクリーンなチャネル推定を与えるために実行され得る。
【００７４】
[0095]図６に示されているように、ＵＥ−ＲＳ  Ｒ0〜Ｒ3は、ＭＢＳＦＮデータをパンクチャし、よりクリーンなユニキャストチャネル推定を与え得る。いくつかの例では、ＭＢＳＦＮ送信を送信しているすべての基地局は、セルがユニキャストを送信しているかどうかにかかわらず、一定な送信を与えるために、潜在的なＵＥ−ＲＳロケーションをパンクチャし得る。たとえば、ＭＢＳＦＮセルのサブセットのみが、ＵＥ−ＲＳロケーションにおいてパンクチャする場合、これらのＲＥにおけるＭＢＳＦＮチャネルは、ＭＢＳＦＮ−ＲＳにおけるＭＢＳＦＮチャネルとは異なり、ＵＥは、消去のためにこれらのＲＥにおけるＭＢＳＦＮデータを再構成することができないことがある。いくつかの例では、ＵＥ−ＲＳのためのタイミングが与えられ、エンハンスメントレイヤ上でユニキャストデータを受信しないＵＥは、ＵＥ−ＲＳロケーションにおいて送信を無視し得る。ＵＥが、階層送信を受信することが可能でないか、またはＵＥ−ＲＳのタイミングを示すシグナリングを受信することが可能でない場合、ＵＥは、ＭＢＳＦＮデータとしてＵＥ−ＲＳロケーションを復号しようと試み得、したがって、そのようなＵＥについてわずかなパフォーマンスの低減が見られ得る。そのようなパンクチャリングは、ベースレイヤとエンハンスメントレイヤ上でのＭＢＳＦＮ送信とユニキャスト送信とに対してクリーンなＲＳを与え得、ＵＥは、別個にチャネルを推定することができる。上述のように、階層変調が可能でないＵＥは、ユニキャストデータオーバーレイおよびＭＢＳＦＮデータパンクチャリングを干渉として扱い得るが、階層変調が可能なＵＥは、ＭＢＳＦＮデータパンクチャリングＲＥをスキップし、（たとえば、対数尤度比（ＬＬＲ：Log-likelihood ratio）計算によって）ベースレイヤ復調のためのユニキャストチャネルおよび変調次数情報（unicast channel and modulation order information）を使用し得、ベースレイヤのデータ干渉消去を実行し、次いで、エンハンスメントレイヤを復号し得る。
【００７５】
[0096]他の例では、ＵＥ−ＲＳ  Ｒ0〜Ｒ4をもつＭＢＳＦＮデータＲＥをパンクチャするのではなく（rather than puncturing the MBSFN data REs with UE-RS R0 through R4）、ＵＥ−ＲＳ  Ｒ0〜Ｒ4は、エンハンスメントレイヤ上でＵＥ−ＲＳを送信することによってＭＢＳＦＮデータＲＥでオーバーレイされ得る。そのような例では、階層変調の能力のないレガシーＵＥは、リソース要素における干渉レベルの不一致により若干の性能損失を見ることがあり、ここで、ＵＥ−ＲＳ  Ｒ0〜Ｒ4は、ＭＢＳＦＮデータの上にオーバーレイし、階層変調能力をもつＵＥは、ＭＢＳＦＮデータ干渉消去の後にエンハンスメントレイヤチャネル推定を実行し得る。したがって、レガシーＵＥは、わずかに劣化したパフォーマンスを有し得るが、ＭＢＳＦＮデータは、依然としてＵＥ−ＲＳ  Ｒ0〜Ｒ4を含んでいるＲＥから復号され得る。ＵＥ−ＲＳ  Ｒ0〜Ｒ4は、図６に示すロケーションと同じロケーションでＭＢＳＦＮ  ＲＥ上にオーバーレイされ得る。階層変調能力をもつＵＥは、次いで、ＭＢＳＦＮデータを復号し、ベース変調レイヤを消去して打ち消すために干渉消去を実行し得、したがって、その結果は、エンハンスメントレイヤのためのチャネル推定を実行し、エンハンスメント変調レイヤ送信を受信し、復号するために使用され得るクリーンなＵＥ−ＲＳ  Ｒ0〜Ｒ4である。
【００７６】
[0097]またさらなる例では、エンハンスメント変調レイヤ上でのユニキャスト送信のためのチャネル推定は、ＭＢＳＦＮ−ＲＳで周波数分割多重化（ＦＤＭ）されるＣＲＳに基づき得る。そのような例では、基地局は、ダウンリンクリソース許可中に与えられる情報など、関連する送信において使用されるプリコーディングを示し得る。ＭＢＳＦＮデータＲＥは、ＣＲＳを送信するためにパンクチャされ得、これは、たとえば、ＵＥ−ＲＳ信号Ｒ0〜Ｒ4について図６に示すリソース要素を占有し得る。上記で説明したのと同様に、ＵＥ−ＲＳがＭＢＳＦＮデータＲＥをパンクチャしたとき、レガシーＵＥは、そのようなパンクチャリングから追加の干渉を体験し得る。いくつかの例では、ＭＢＳＦＮ−ＲＳは変更されず、ＣＲＳを使用したエンハンスメントレイヤのチャネル推定は、ＣＲＳに基づく確立されたチャネル推定と同様の方法で実行される。
【００７７】
[0098]図６の例は、ＭＢＳＦＮデータＲＥでパンクチャするかまたはオーバーレイする、基準信号を与え得るが、他の例は、ＭＢＳＦＮ−ＲＳでオーバーレイされるＵＥ−ＲＳを与え得る。図７に、ＭＢＳＦＮベースレイヤ送信７０５およびユニキャストエンハンスメントレイヤ送信７１０中でＭＢＳＦＮ−ＲＳでオーバーレイされるＵＥ−ＲＳの一例７００を示す。ＭＢＳＦＮベースレイヤ送信７０５とユニキャストエンハンスメントレイヤ送信７１０とは、図６に関して説明したようなサブフレーム送信の一部であり得、ここで、サブフレーム内のスロットは、ＯＦＤＭシンボル７１５を有し、リソース要素は、ＯＦＤＭシンボル７１５とサブキャリア７２０とによって定義される。この例では、ｐ０〜ｐ１６に示すようにＭＢＳＦＮ−ＲＳロケーションを有するベースレイヤ送信７０５が送信され得る。
【００７８】
[0099]ユニキャストエンハンスメントレイヤは、（従来のＬＴＥ送信におけるポート７／８ ＲＳと同様な）コード領域中でＭＢＳＦＮ−ＲＳに直交するＵＥ−ＲＳを含み得る。すなわち、ＵＥ−ＲＳは、ＭＢＳＦＮ−ＲＳ  ｐ０〜ｐ１６で符号分割多重化（ＣＤＭ）される。ＭＢＳＦＮ−ＲＳ  ｐ０〜ｐ１６は、ＭＢＳＦＮセル固有のものである。いくつかの例では、各偶数および奇数ＭＢＳＦＮ  ＲＳ  ｐ０〜ｐ１６は、ペア、たとえば（ｐ０、ｐ１．．．ｐ１５、ｐ１６）として扱われ、チャネルは、偶数および奇数ＲＳペアに関連するこれらの２つのＲＥにわたって一定であると仮定され得る。次いで、ＭＢＳＦＮ−ＲＳペアごとに、エンハンスメントレイヤ送信７１０中でもたらされた（１，−１）パターンをもつＵＥ−ＲＳを送信するために同じ２つのシンボルが使用され得る。さらに、図７の例では、各ペア（ｃ０、ｃ１、．．．ｃ８）上に別のセルごとに固有のスクランブリングが追加され（another per cell specific scrambling is added）、それによって、ＵＥ−ＲＳに対して２ラウンドのスクランブリングを与える。受信機は、従来のＬＴＥにおけるポート７／８ ＵＥ−ＲＳのために実行される方法と同様の方法など、確立された方法でＣＤＭ解除（de-CDM）を実行し得る。単一のエンハンスメントレイヤについて様々な例で説明したが、そのような技法は、複数の階層レイヤ中で送信される（１，ｅj2π/3，ｅj4π/3）、および（１，ｅj4π/3，ｅj2π/3）ＣＤＭをもつ２つ以上のユニキャストレイヤを有するように拡張され得る。
【００７９】
[0100]ＭＢＳＦＮチャネルとユニキャストチャネルとのためのチャネル推定は、ＵＥ−ＲＳを雑音として扱うＭＢＳＦＮチャネルを推定し、ＭＢＳＦＮ−ＲＳを消去し、ＵＥ−ＲＳチャネルを取得するために再推定することによって実行され得る。いくつかの例では、受信機は、ＭＢＳＦＮチャネル推定の前に最小平均２乗誤差（ＭＭＳＥ）ベースの前処理を行い得、そのＭＭＳＥは、各ＲＳペア上に基づく。そのようなＭＭＳＥ前処理は、ＭＢＳＦＮ−ＲＳが極めて周波数選択的なチャネルのために設計されていることを考慮に入れ得るが、ユニキャストＵＥ−ＲＳは、周波数に対してより平坦なチャネルを有する。ＭＢＳＦＮ−ＲＳは、ベース変調レイヤの広帯域チャネル推定のために使用され得る。したがって、ＭＢＳＦＮは、エンハンスメント変調レイヤ上で送信されるユニキャストチャネルを取得するために、（たとえば、ＳＬＩＣまたはＣＷＩＣを使用して）再構成され、消去され得る。ＵＥ−ＲＳは、デマップされ（demapped）、復号され、エンハンスメント変調レイヤのチャネル推定のために使用され得る。
【００８０】
[0101]さらなる例では、ＵＥ−ＲＳは、ＭＢＳＦＮデータＲＥの外部で送信され得る。図８に、１つのそのような例を示し、これは、様々な基準信号のために使用される特定のリソースの指示を含む送信リソース８００の図を与える。この例では、無線フレームのいくつかの番号付けされたスロットを有する無線フレーム８０５の前半が示されている。無線フレーム８０５の各サブフレーム８２５は、スロット０  ８１０とスロット１  ８１５とを含む２つのスロットを含む。各スロットは、０．５ｍｓであり、いくつかのリソースブロック（ＲＢ）８２０を含む。リソースブロック８２０内で、いくつかのリソース要素（ＲＥ）８４０が、サブキャリア８３０とＯＦＤＭシンボル８３５とによって定義される。拡張サイクリックプレフィックス（ＣＰ）を使用する送信では、図８に示すように、各スロット中に６つのＯＦＤＭシンボルがある。ＵＥ−ＲＳは、最初の２つのＯＦＤＭシンボル中のリソース要素８４０のうちのいくつかを占有し得、４つのＵＥ−ＲＳ  Ｒ0、Ｒ1、Ｒ2、およびＲ3を含み、これは、それぞれ、アンテナポート０〜３のためのユニキャストＲＳに対応し得る。さらに、ＭＢＳＦＮ−ＲＳ、Ｒ4は、第１のスロット８１０および第２のスロット８１５の残余のＭＢＳＦＮデータＲＥ内のリソース要素中に与えられる。この例では、エンハンスメントレイヤのためのＵＥ−ＲＳ  Ｒxは、ＭＢＳＦＮデータＲＥ中で送信されないことがあり、代わりに、スロット０  ８１０の第２のＯＦＤＭシンボル８３５中で送信され得る。
【００８１】
[0102]図８の例では、最初の２つのＯＦＤＭシンボル８３５−ａ、８３５−ｂは、ＭＢＳＦＮ領域中になく、ＰＣＦＩＣＨは、第１のＯＦＤＭシンボル８３５−ａ中で送信され得る。しかしながら、ＰＣＦＩＣＨは、ＰＤＣＣＨのための１つのＯＦＤＭシンボルのみを占有し得、４つのアンテナポートがある場合、レガシーＵＥは、Ｒ2およびＲ3に関連するＣＲＳ  ＲＥを読み取ることを除いて第２のＯＦＤＭシンボル８３５−ｂを読み取ろうと試みないことがある。この例では、第２のＯＦＤＭシンボル８３５−ｂの残りのＲＥは、ユニキャストダウンリンク送信のためにＵＥに割り当てられるＲＢ中にエンハンスメントレイヤのためのＵＥ−ＲＳ  Ｒxを追加するために使用され得る。ＵＥ−ＲＳ  Ｒxは、アンテナポート３および４（Ｒ2、Ｒ3）のためのＣＲＳが必要とされる場合、これらのＣＲＳを含まないことがあるＲＥ中の第２のＯＦＤＭシンボル８３５−ｂ中に含まれ得る。図８では第２のＯＦＤＭシンボルのすべての利用可能なＲＥが基準信号Ｒxを含むものとして示されているが、その特定の数のＲＳが特定のサブフレームのために必要とされない場合、この信号はダウンサンプリングされ得る。例では、第１のＯＦＤＭシンボル８３５−ａは、ＰＤＣＣＨを含み得、階層変調が可能なＵＥは、第１のＯＦＤＭシンボル８３５−ａを復号し、その中で送信されるあらゆるダウンリンク割当てを決定し、ＵＥ−ＲＳ  Ｒxのために割り当てられたＲＢを識別し得る。
【００８２】
[0103]送信を受信するＵＥは、次いで、第２のＯＦＤＭシンボル８３５−ｂの識別されたＲＢ中のＵＥ−ＲＳ  Ｒxを使用してエンハンスメント変調チャネルを推定し得る。そのような例では、ＵＥ−ＲＳは、ＭＢＳＦＮ領域中で送信されず、したがって、ＭＢＳＦＮデータの送信を向上し得る。いくつかの例では、ＵＥが、高モビリティを体験している場合、基準信号Ｒxによって与えられたチャネル推定は、サブフレーム中の後のＯＦＤＭシンボルのために劣化し得る。いくつかの例では、前のＯＦＤＭシンボル中で復号されるデータブロックは、後のＯＦＤＭシンボルのためのチャネル推定を補助するために使用され、したがって、後のＯＦＤＭシンボルのための改善されたチャネル推定を与え得る。上記で説明したのと同様に、エンハンスメントレイヤ上でのユニキャスト送信は、ＭＢＳＦＮ−ＲＳ  Ｒ4の周りでレートマッチングされ得、したがって、ベース変調レイヤ上のＭＢＳＦＮチャネルのクリーンなチャネル推定。さらに、ベースレイヤ送信およびエンハンスメントレイヤ送信を復調する前に、ベース変調レイヤとエンハンスメント変調レイヤとの両方のためのチャネル推定が利用可能であり得、これにより、各階層変調レイヤのジョイント復調が可能になり、したがって、潜在的により良いＵＥパフォーマンスが可能になり得る。
【００８３】
[0104]他の例では、図８に示すＵＥ−ＲＳ  Ｒxは、第２のＯＦＤＭシンボル８３５−ｂを、たとえば、ＰＣＦＩＣＨからの制御チャネル情報と共有し得る。第１のスロット８１０の第１のＯＦＤＭシンボル８３５−ａが必要な制御情報のすべてを送信することができない例では、第２のＯＦＤＭシンボル８３５中のいくつかのリソース要素グループ（ＲＥＧ）は、そのような制御チャネル情報を送信するために使用され得る。そのような例では、エンハンスメントレイヤのためのＵＥ−ＲＳ  Ｒxは、第２のＯＦＤＭシンボル８３５−ｂの未使用のＲＥＧに挿入され得る。階層変調通信の能力のないレガシーＵＥは、これらのＲＥＧからの何も復号しないことになり、階層変調通信が可能なＵＥは、ダウンリンク割当てのためのこれらのＲＥＧと、エンハンスメントレイヤのためのＵＥ−ＲＳ  Ｒxとを監視し得る。そのような例では、ユニキャストのために利用可能なＲＢは、第２のＯＦＤＭシンボル８３５−ｂ中で利用可能なＲＥＧの数によって制限され得る。いくつかの例では、ＰＤＣＣＨ  ＲＥＧは、ＵＥ−ＲＳ  Ｒxの送信のために第２のＯＦＤＭシンボル８３５−ｂ中に追加のＲＥＧを与えるために、第１のスロット８１０の最初の２つのＯＦＤＭシンボル８３５−ａおよび８３５−ｂ内の周りで移動され得る。
【００８４】
[0105]またさらなる例では、エンハンスメント変調レイヤ上でのユニキャスト送信のためのチャネル推定は、ＣＲＳ送信に基づき得る。図９に、１つのそのような例を示し、これは、様々な基準信号のために使用される特定のリソースの指示を含む送信リソース９００の図を与える。この例では、無線フレームのいくつかの番号付けされたスロットを有する無線フレーム９０５の前半が示されている。無線フレーム９０５の各サブフレーム９２５は、スロット０  ９１０とスロット１  ９１５とを含む２つのスロットを含む。各スロットは、０．５ｍｓであり得、いくつかのリソースブロック９２０を含み得る。リソースブロック９２０内で、いくつかのリソース要素９４０が、サブキャリア９３０とＯＦＤＭシンボル９３５とによって定義される。拡張サイクリックプレフィックスを使用する送信では、図９に示すように、各スロット中に６つのＯＦＤＭシンボルがある。ＵＥ−ＲＳは、最初の２つのＯＦＤＭシンボル９３５−ａおよび９３５−ｂ中のリソース要素９４０のうちのいくつかを占有し、４つのＵＥ−ＲＳ  Ｒ0、Ｒ1、Ｒ2、およびＲ3を含み、これは、それぞれ、アンテナポート０〜４のためのユニキャストＲＳに対応し得る。さらに、ＭＢＳＦＮ−ＲＳ、Ｒ4は、第１のスロット９１０および第２のスロット９１５の残余のＭＢＳＦＮデータＲＥ内のリソース要素中に与えられる。この例では、エンハンスメントレイヤチャネル推定は、ＯＦＤＭシンボル９３５−ａおよび９３５−ｂ中で送信されるＣＲＳを使用して実行され得る。そのような例では、ＯＦＤＭシンボル９３５−ａおよび９３５−ｂのＰＤＣＣＨ領域は、変更されないことがあり、ＵＥ−ＲＳは、ＭＢＳＦＮ領域中に追加されない。図８のエンハンスメントレイヤのためのＵＥ−ＲＳ  Ｒxで説明したのと同様に、送信を受信するＵＥは、最初の２つＯＦＤＭシンボル９３５−ａ、９３５−ｂ上のＣＲＳを使用してエンハンスメント変調チャネルを推定し得る。また、図８に関して説明したのと同様に、ＵＥが、高モビリティを体験している場合、ＣＲＳによって与えられたチャネル推定は、サブフレーム中の後のＯＦＤＭシンボルのために劣化し得る。いくつかの例では、前のＯＦＤＭシンボル中で復号されるデータブロックは、後のＯＦＤＭシンボルのためのチャネル推定を補助するために使用され、したがって、後のＯＦＤＭシンボルのための改善されたチャネル推定を与え得る。同じく、ベースレイヤ送信およびエンハンスメントレイヤ送信を復調する前に、ベース変調レイヤとエンハンスメント変調レイヤとの両方のためのチャネル推定が利用可能であり得、これにより、各階層変調レイヤのジョイント復調が可能になり、したがって、潜在的により良いＵＥパフォーマンスが可能になり得る。したがって、送信を受信するＵＥの場合、サブフレームがＭＢＳＦＮ用に指定される場合、ＵＥは、現在のサブフレーム中の最初の２つのＯＦＤＭシンボル９３５−ａ、９３５−ｂ中のＣＲＳ、ならびに利用可能な場合、フィルタ処理を用いてさらに前のＳＦ中の最初の２つのＯＦＤＭシンボル中のＣＲＳに基づいてチャネル推定を実行し得る。さらに、ＵＥは、後続のサブフレーム中の最初の２つのＯＦＤＭシンボルからのＣＲＳを使用し得る。したが���て、ユニキャスト復調のためのチャネル推定品質は、ＭＢＳＦＮ領域の始めと終わりでより良くなり得る。いくつかの例では、コードブロックの復号順序は、最初に、２つの端にあるブロックから開始し、次いで、データに補助されたチャネル推定（data aided channel estimation）を実行するために復号されたデータを使用し、次いで、内部のコードブロックを復号するように変更され得る。他の例では、中心のコードブロックに向かってチャネル推定品質が改善するので、異なるコードブロックのために異なるコードレートが使用され、２つの端においてコードブロックにおけるより低いレートが使用され、中心でより高いコードレートが使用され得る。コードレートのそのような変更は、ユニキャストエンハンスメントレイヤ送信の受信および復号を支援するためにＵＥにシグナリングされ得る。
【００８５】
[0106]次に図１０を参照すると、ｅＮＢ１０５−ｃが階層変調を使用してＵＥ１１５−ｆおよびＵＥ１１５−ｇと通信していることがあるシステム１０００を示す。システム１０００は、たとえば、図１、図２および／または図３に示すワイヤレス通信システム１００、２００、および／または３００の態様を示し得る。この例では、上記と同様に、複数の変調レイヤがワイヤレス通信のために採用され得、ここで、ベース変調レイヤ１００５とエンハンスメント変調レイヤ１０１０とはｅＮＢ１０５−ｃとＵＥ１１５−ｆおよび１１５−ｇとの間で同時に送信され得る。この例では、ベース変調レイヤ１００５は、ＵＥ１１５−ｆおよびＵＥ１１５−ｇなどの複数の異なるＵＥに送信されるブロードキャストデータを含み得る。
【００８６】
[0107]エンハンスメント変調レイヤ１０１０は、この例では、ベース変調レイヤ１００５上に重畳され、ＵＥ１１５−ｆについてのブロードキャストデータを含み得る。エンハンスメント変調レイヤとベース変調レイヤとは、上記で説明したような方法でｅＮＢ１０５−ｃからＵＥ１１５−ｆまでの間の単一の通信リンク中で送信され得る。この例では、ＵＥ１１５−ｆは、エンハンスメント変調レイヤ１０１０を受信し、復号するのに十分なチャネル品質を有し得るが、ＵＥ１１５−ｇは、エンハンスメント変調レイヤ１０１０を受信し、復号するのに十分なチャネル品質を有しないことがあるか、またはエンハンスメント変調レイヤ１０１０を受信することが可能でないことがある。エンハンスメント変調レイヤ１０１０上でのブロードキャスト送信は、たとえば、ベース変調レイヤ上で送信される信号のためのより高い解像度を与え得るか、あるいは１つまたは複数の追加のブロードキャストチャネルを与え得る。いくつかの例では、エンハンスメント変調レイヤ１０１０は、特定のベニュー（venue）に位置するＵＥ１１５にベニューキャスト送信（venue-cast transmissions）を与えるために使用され得る。たとえば、ショッピングモール中に位置するＵＥは、ショッピングモール中に位置する小売店（retail outlets）に関係する広告情報または他の情報を含み得るエンハンスメント変調レイヤ１０１０上でのＭＢＳＦＮ送信を受信し得る。他の例では、スポーツスタジアム中に位置するＵＥ１１５は、スポーツイベントに関係するビデオリプレイ（video replays）、解説（commentary）、および／または広告を含み得るエンハンスメント変調レイヤ１０１０上でのＭＢＳＦＮ送信を受信し得る。
【００８７】
[0108]次に図１１を参照すると、本開示の態様による、ワイヤレス通信の方法の一例を概念的に示すフローチャートについて説明する。明快のために、方法１１００について、図１、図２、図３、および／または図１０を参照しながら説明した基地局１０５のうちのいくつかを参照して以下で説明する。一例では、基地局は、以下で説明する機能を実行するために基地局の機能要素を制御するためのコードの１つまたは複数のセットを実行し得る。
【００８８】
[0109]ブロック１１０５において、基地局は、ベースレイヤ上およびエンハンスメントレイヤ上での送信のためのコンテンツを識別し得る。上述のように、たとえば、ベースレイヤは、第１の解像度を有するか、またはチャネルの第１のセットを有するブロードキャスト送信を含み得、エンハンスメント変調レイヤは、第１の解像度に対する高められた解像度を与え得るか、またはチャネルの第１のセットに加えてチャネルの第２のセットを与え得る。ブロック１１１０において、基地局は、ベースレイヤ送信およびエンハンスメントレイヤ送信のための電力レベルを決定し得る。送信電力レベルは、いくつかの例では、所望のベースレイヤカバレージおよびエンハンスメントレイヤデータレートに基づいて調整され得る。ブロック１１１５において、基地局は、ＭＢＳＦＮ  ＲＳのための基準信号電力レベルを決定し得る。基準信号電力レベルは、いくつかの例では、ベース変調レイヤとエンハンスメント変調レイヤとの両方のアグリゲート電力レベル（aggregate power level）に基づいてではなく、ベース変調レイヤの電力レベルに基づいて決定され得る。ブロック１１２０において、基地局は、決定された基準信号電力レベルに従って基準信号を送信し得る。ブロック１１２５において、基地局は、ベース変調レイヤおよびエンハンスメント変調レイヤ上にコンテンツを変調し、ベース変調レイヤ上にエンハンスメント変調レイヤを重畳し得る。ブロック１１３０において、基地局は、１つまたは複数のＵＥに重畳されたベース変調レイヤとエンハンスメント変調レイヤとを送信し得る。
【００８９】
[0110]図１２は、本開示の態様による、ワイヤレス通信において使用するための基地局などのデバイス５０５−ａを概念的に示すブロック図１２００である。いくつかの例では、デバイス５０５−ａは、図１、図２、図３、および／もしくは図１０を参照しながら説明した基地局１０５の１つもしくは複数の態様の一例であるか、ならびに／または図５のデバイス５０５の一例であり得る。デバイス５０５−ａはまた、プロセッサであり得る。デバイス５０５−ａは、受信機モジュール５１０−ａ、基地局階層変調モジュール５２０−ａ、および／または送信機モジュール５３０−ａを含み得る。これらの構成要素の各々は互いに通信していることがある。
【００９０】
[0111]デバイス５０５−ａの構成要素は、適用可能な機能の一部または全部をハードウェア中で実行するように適応された１つまたは複数のＡＳＩＣを用いて、個々にまたはまとめて実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされて、メモリ中に具現される命令によって実装され得る。
【００９１】
[0112]いくつかの例では、受信機モジュール５１０−ａは、２つ以上の階層変調レイヤ上での送信を受信するように動作可能なＲＦ受信機などのＲＦ受信機であるか、またはそれを含み得る。受信機モジュール５１０−ａは、図１、図２、図３、および／または図１０を参照しながら説明したワイヤレス通信システム１００、２００、３００、および／または１０００の１つまたは複数の通信リンク１２５など、ワイヤレス通信システムの１つまたは複数の通信リンクを介して、様々なタイプのデータおよび／または制御信号（すなわち、送信）を受信するために使用され得る。
【００９２】
[0113]いくつかの例では、送信機モジュール５３０−ａは、２つ以上の階層変調レイヤ上で（たとえば、ベース変調レイヤと１つまたは複数のエンハンスメント変調レイヤとを通して）送信するように動作可能なＲＦ送信機などのＲＦ送信機であるか、またはそれを含み得る。送信機モジュール５３０−ａは、図１、図２、図３、および／または図１０を参照しながら説明したワイヤレス通信システム１００、２００、３００、および／または１０００の１つまたは複数の通信リンク１２５など、ワイヤレス通信システムの１つまたは複数の通信リンクを介して、様々なタイプのデータおよび／または制御信号（すなわち、送信）を送信するために使用され得る。
【００９３】
[0114]いくつかの例では、基地局階層変調モジュール５２０−ａは、複数の階層変調レイヤを構成し、２つ以上の階層変調レイヤ上での送信をサポートするワイヤレス通信システムで動作するとき、デバイス５０５−ａのための各階層変調レイヤ上で送信されるべきコンテンツを決定し得る。基地局階層変調モジュール５２０−ａは、たとえば、本明細書で説明するような、各階層変調レイヤ上での送信のためのコンテンツを決定すること、各階層変調レイヤ上でのコンテンツの変調を決定すること、および送信機モジュール５３０−ａを通した送信のための階層変調レイヤの重畳を決定することを行うようにデバイス５０５−ａを構成し得る。
【００９４】
[0115]いくつかの例では、基地局階層変調モジュール５２０−ａは、ＭＢＳＦＮベースレイヤおよびエンハンスメントレイヤコンテンツ決定モジュール１２５５と、ベースレイヤおよびエンハンスメントレイヤ電力決定モジュール１２６０と、基準信号モジュール１２６５と、重畳モジュール１２７０とを含み得る。ＭＢＳＦＮベースレイヤおよびエンハンスメントレイヤコンテンツ決定モジュール１２５５は、上記で説明したように、ベース変調レイヤを使用してデバイス５０５−ａから送信されるべきであるコンテンツと、エンハンスメント変調レイヤを使用してデバイス５０５−ａから送信されるべきであるコンテンツとを決定し得る。ベースレイヤおよびエンハンスメントレイヤ電力決定モジュール１２６０は、ベースレイヤとエンハンスメントレイヤとが送信され得る電力比を決定し得る。上記で説明したように、ベースレイヤカバレージは、エンハンスメントレイヤデータレートとトレードされ（traded for）得、いくつかの例では、ベースレイヤおよびエンハンスメントレイヤ電力決定モジュール１２６０は、所望のカバレージおよび／または所望のデータレートに基づいて送信電力を動的にまたは半静的に設定し得る。いくつかの例では、相対電力レベルのシグナリングは、チャネル推定目的のためにＵＥに送信され得る。
【００９５】
[0116]基準信号モジュール１２６５は、ベースレイヤ送信およびエンハンスメントレイヤ送信を受信し、復号する際にＵＥが使用するためのベース変調レイヤおよびエンハンスメント変調レイヤのために送信されるべき様々な基準信号のうちの１つまたは複数を決定し得る。いくつかの例では、ベース変調レイヤおよびエンハンスメント変調レイヤは、共有アンテナポートを使用し、したがって、チャネル推定のために同じＭＢＳＦＮ  ＲＳを使用し得る。基準信号電力は、いくつかの例では、ベース変調レイヤのためのチャネル推定において使用するための一定の基準信号をレガシーＵＥに与えるために、ベース変調レイヤが送信される電力に対応するように設定され得る。他の例では、ベース変調レイヤは、エンハンスメント変調レイヤとは異なるアンテナポートを使用し得、異なるＭＢＳＦＮ  ＲＳが、ベースレイヤおよびエンハンスメントレイヤのために送信され得る。階層変調が可能なＵＥは、いくつかの例では、ベース変調レイヤとエンハンスメント変調レイヤとの電力レベルの比率を示すシグナリングを受信し、チャネル推定中に異なる変調レイヤを一緒にデマッピングするか、または干渉レベルを調整するためにこの情報を使用し得る。重畳モジュール１２７０は、送信機モジュール５３０−ａによる送信のためにベース変調レイヤ上に変調されたエンハンスメント変調レイヤを重畳し得る。
【００９６】
[0117]上述のように、いくつかの例では、異なるアンテナポートが、ベース変調レイヤ送信およびエンハンスメント変調レイヤ送信のために使用され得、別個のＭＢＳＦＮ  ＲＳ送信が各アンテナポートに対して与えられ得る。図１３に、そのような異なるＭＢＳＦＮ送信の一例を示し、これは、様々な基準信号のために使用される特定のリソースの指示を含む送信リソース１３００の図を与える。この例では、無線フレームのいくつかの番号付けされたスロットを有する無線フレーム１３０５の前半が示されている。無線フレーム１３０５の各サブフレーム１３２５は、スロット０  １３１０とスロット１  １３１５とを含む２つのスロットを含み得る。各スロットは、０．５ｍｓであり、いくつかのリソースブロック１３２０を含み得る。リソースブロック１３２０内で、いくつかのリソース要素１３４０が、サブキャリア１３３０とＯＦＤＭシンボル１３３５とによって定義される。拡張サイクリックプレフィックスを使用する送信では、図１３に示すように、各スロット中に６つのＯＦＤＭシンボルがあり得る。ＵＥ−ＲＳは、最初の２つのＯＦＤＭシンボル中のリソース要素１３４０のうちのいくつかを占有し得、４つのＵＥ−ＲＳ  Ｒ0、Ｒ1、Ｒ2、およびＲ3を含み、これは、それぞれ、アンテナポート０〜３のためのユニキャストＲＳに対応し得る。
【００９７】
[0118]さらに、ベース変調レイヤのためのＭＢＳＦＮ  ＲＳ、Ｒ4は、第１のスロット１３１０および第２のスロット１３１５の残余のＭＢＳＦＮデータＲＥ内のリソース要素中に与えられる。いくつかの例では、ＭＢＳＦＮ  ＲＥの一部分をパンクチャするエンハンスメントレイヤのためのＭＢＳＦＮ  ＲＳ  Ｒxが与えられ得る。そのような基準信号Ｒxは、エンハンスメントレイヤのためのチャネル推定の改善をもたらし得るが、ＭＢＳＦＮ送信の一部としてこれらのＲＥを受信し、復号しようと試みるレガシーＵＥのためのベースレイヤ送信に対してわずかな性能劣化を生じ得る。他の例では、エンハンスメントレイヤ基準信号Ｒxは、ＲＥとＭＢＳＦＮ  ＲＳ  Ｒ4とをパンクチャするのではなく、ＭＢＳＦＮデータＲＥでオーバーレイされ得、ベース変調レイヤ中で送信されるデータＲＥでの干渉消去の後に復号され得る。
【００９８】
[0119]いくつかの例では、エンハンスメントレイヤＭＢＳＦＮ送信のためのカバレージエリアがベースレイヤＭＢＳＦＮ送信のためのカバレージエリアと比較して低減され得るので、基準信号Ｒxの密度が低減され得、いくつかの例では、他の密度も使用され得るが、ベースレイヤ基準信号Ｒ4の密度の約１／３に低減される。いくつかの例では、追加の空間分離をもたらし、クロスレイヤ干渉を低減するために、異なる変調レイヤ上で異なるプリコーディングが使用され得る。さらに、いくつかの例では、エンハンスメントレイヤ基準信号ＲxならびにエンハンスメントレイヤＭＢＳＦＮ送信は、基準信号Ｒ4の送信中にエンハンスメントレイヤ送信を行わず、ベースレイヤＭＢＳＦＮチャネルのための改善されたチャネル推定を与えるために、ベースレイヤ基準信号Ｒ4のロケーションの周りでレートマッチングされ得る。いくつかの例では、ベースレイヤ電力レベルと基準信号電力レベルとの間のトラフィック対パイロット（Ｔ２Ｐ）比は、０ｄＢである。
【００９９】
[0120]次に図１４を参照すると、ブロック図１４００は、本開示の様々な態様による、ワイヤレス通信において使用するためのデバイス１４０５を示す。いくつかの例では、デバイス１４０５は、図１、図２、図３、および／または図１０を参照しながら説明したＵＥ１１５の１つまたは複数の態様の一例であり得る。デバイス１４０５はまた、プロセッサであり得る。デバイス１４０５は、受信機モジュール１４１０、ＵＥ干渉緩和モジュール１４２０、ＵＥ階層変調モジュール１４２５、および／または送信機モジュール１４３０を含み得る。これらの構成要素の各々は互いに通信していることがある。
【０１００】
[0121]デバイス１４０５の構成要素は、適用可能な機能の一部または全部をハードウェア中で実行するように適応された１つまたは複数のＡＳＩＣを用いて、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされて、メモリ中に具現される命令によって実装され得る。
【０１０１】
[0122]いくつかの例では、受信機モジュール１４１０は、２つ以上の階層変調レイヤ上での送信を受信するように動作可能なＲＦ受信機などのＲＦ受信機であるか、またはそれを含み得る。いくつかの例では、送信機モジュール１４３０は、２つ以上の階層変調レイヤ上でデータを送信するように動作可能なＲＦ送信機などのＲＦ送信機であるか、またはそれを含み得る。送信機モジュール１４３０は、いくつかの例では、単一の送信機または送信／受信チェーンごとに単一の送信機を含み得る。送信機モジュール１４３０は、図１、図２、図３、および／または図１０を参照しながら説明したワイヤレス通信システム１００、２００、３００、および／または１０００の１つまたは複数の通信リンク１２５など、２つ以上の階層変調レイヤを含むワイヤレス通信システムの１つまたは複数の通信リンクを介して、様々なタイプのデータおよび／または制御信号（すなわち、送信）を送信するために使用され得る。
【０１０２】
[0123]いくつかの例では、ＵＥ干渉緩和モジュール１４２０は、受信機モジュール１４１０において受信された信号に対して干渉緩和を実行し得る。たとえば、ＵＥ干渉緩和モジュール１４２０は、たとえば、復号され得るエンハンスメントレイヤを与えるために受信信号からのベース変調レイヤに関連する干渉を消去するために、受信信号に対して干渉消去技法を実行し得る。ＵＥ階層変調モジュール１４２５は、複数の階層変調レイヤを復号し得、２つ以上の階層変調レイヤ上での送信をサポートするワイヤレス通信システムで動作するとき、デバイス１４０５のための１つまたは複数の階層変調レイヤ上で送信されるコンテンツを決定し得る。
【０１０３】
[0124]ＵＥ階層変調モジュール１４２５は、たとえば、ベース変調レイヤを復号し、ベース変調レイヤからの干渉を消去するために受信信号に対して干渉消去技法を実行し、エンハンスメント変調レイヤを復号するようにデバイス１４０５を構成し得る。ＵＥ階層変調モジュール１４２５はまた、変調レイヤの干渉消去と復号を支援するために１つまたは複数の変調レイヤに関連するパラメータを決定し得る。そのようなパラメータは、たとえば、ベースレイヤ電力と変調レイヤ電力の比率、１つまたは複数の基準信号を送信するためのリソースに関する情報、および／またはエンハンスメント変調レイヤの送信のためのタイミングを含み得る。いくつかの例では、２つ以上のエンハンスメント変調レイヤが存在し得、その場合、ＵＥ階層変調モジュール１４２５は、連続する各変調レイヤの連続する干渉消去および復号の実行を管理し得る。
【０１０４】
[0125]次に図１５を参照すると、ブロック図１５００は、本開示の様々な態様による、ワイヤレス通信において使用するためのデバイス１４０５−ａを示す。いくつかの例では、デバイス１４０５−ａは、図１、図２、図３、図１０、および／または図１４を参照しながら説明したＵＥ１１５またはデバイス１４０５の１つまたは複数の態様の一例であり得る。デバイス１４０５−ａはまた、プロセッサであり得る。デバイス１４０５−ａは、受信機モジュール１４１０−ａ、ＵＥ干渉緩和モジュール１４２０−ａ、ＵＥ階層変調モジュール１４２５−ａ、および／または送信機モジュール１４３０−ａを含み得る。これらの構成要素の各々は互いに通信していることがある。
【０１０５】
[0126]デバイス１４０５−ａの構成要素は、適用可能な機能の一部または全部をハードウェア中で実行するように適応された１つまたは複数のＡＳＩＣを用いて、個々にまたはまとめて実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされて、メモリ中に具現される命令によって実装され得る。
【０１０６】
[0127]いくつかの例では、受信機モジュール１４１０−ａは図１４の受信機モジュール１４１０の一例であり得る。受信機モジュール１４１０−ａは、２つ以上の階層変調レイヤ上での送信を受信するように動作可能なＲＦ受信機などのＲＦ受信機であるか、またはそれを含み得る。いくつかの例では、送信機モジュール１４３０−ａは図１４の送信機モジュール１４３０の一例であり得る。送信機モジュール１４３０−ａは、２つ以上の階層変調レイヤ上でデータを送信するように動作可能なＲＦ送信機などのＲＦ送信機であるか、またはそれを含み得る。送信機モジュール１４３０−ａは、いくつかの例では、単一の送信機または送信／受信チェーンごとに単一の送信機を含み得る。送信機モジュール１４３０−ａは、図１、図２、図３、および／または図１０を参照しながら説明したワイヤレス通信システム１００、２００、３００、および／または１０００の１つまたは複数の通信リンク１２５など、ワイヤレス通信システムの１つまたは複数の通信リンクを介して、様々なタイプのデータおよび／または制御信号（すなわち、送信）を送信するために使用され得る。
【０１０７】
[0128]ＵＥ干渉緩和モジュール１４２０−ａは、図１４を参照しながら説明したＵＥ干渉緩和モジュール１４２０の一例であり得、パラメータ決定モジュール１５１０と、基準信号決定モジュール１５１５と、ベース変調レイヤ干渉消去モジュール１５２０とを含み得る。これらの構成要素の各々は互いに通信していることがある。パラメータ決定モジュール１５１０は、干渉消去において使用するベース変調レイヤおよび／またはエンハンスメント変調レイヤに関連する１つまたは複数のパラメータを決定し得る。たとえば、パラメータ決定モジュール１５１０は、ベース変調レイヤとエンハンスメント変調レイヤとの間のエネルギー比、レイヤの各々のＭＣＳ、ベース変調レイヤまたはエンハンスメント変調レイヤのうちの１つまたは複数上でＵＥに送信されるデータのリソースブロックロケーション、ベース変調レイヤまたはエンハンスメント変調レイヤのうちの１つまたは複数上で送信するために使用されるプリコーディング行列、ベース変調レイヤまたはエンハンスメント変調レイヤのうちの１つまたは複数のためのレイヤマッピング、ベース変調レイヤまたはエンハンスメント変調レイヤのうちの１つまたは複数のためのコードブロックサイズ、および／あるいはベース変調レイヤまたはエンハンスメント変調レイヤのうちの１つまたは複数のためのいくつかの空間レイヤ、のうちの１つまたは複数を決定し得る。基準信号決定モジュール１５１５は、たとえば、基準信号のために識別されたリソースに基づいて、ベース変調レイヤおよびエンハンスメント変調レイヤうちの１つまたは複数のための送信される１つまたは複数の基準信号を決定し得る。ベース変調レイヤ干渉消去モジュール１５２０は、ベース変調レイヤに関連する干渉を消去し、エンハンスメント変調レイヤの復号のために得られた信号を与えるために、パラメータ決定モジュール１５１０によって与えられたパラメータと基準信号決定モジュール１５１５によって与えられた基準信号情報とを使用し得る。干渉消去技法は、たとえば、上記で説明したように、ＣＷＩＣまたはＳＬＩＣを含み得る。
【０１０８】
[0129]ＵＥ階層変調モジュール１４２５−ａは、図１４を参照しながら説明するＵＥ階層変調モジュール１４２５の一例であり得、ベース／エンハンスメント変調レイヤ復号モジュール１５０５を含み得る。ベース／エンハンスメント変調レイヤ復号モジュール１５０５は、ベース変調レイヤおよびエンハンスメント変調レイヤ上に変調されたコンテンツを復号するように動作し得る。
【０１０９】
[0130]次に図１６を参照すると、本開示の態様による、ワイヤレス通信の方法の一例を概念的に示すフローチャートについて説明する。明快のために、方法１６００について、図１、図２、図３、図１０、図１４、および／または図１５を参照しながら説明したＵＥ１１５および／またはデバイス１４０５のうちのいくつかに関して以下で説明する。一例では、ＵＥは、以下で説明する機能を実行するためにＵＥの機能要素を制御するためのコードの１つまたは複数のセットを実行し得る。
【０１１０】
[0131]ブロック１６０５において、ＵＥは、基地局からダウンリンク許可を受信し得る。たとえば、ＵＥは、ダウンリンクリソースがベース変調レイヤおよび／またはエンハンスメント変調レイヤのために割り当てられていることを示すダウンリンク許可を基地局から受信し得る。ブロック１６１０において、ＵＥは、基地局によって送信された１つまたは複数の基準信号を受信し得る。基準信号は、基準信号のために割り当てられたリソースに従って受信され得、これは、上記で説明したようなベース変調レイヤおよびエンハンスメント変調レイヤのための別個のリソースを含み得る。ブロック１６１５において、ＵＥは、ベース変調レイヤ送信特性およびエンハンスメント変調レイヤ送信特性を決定し得る。そのような特性は、ダウンリンク許可中に含まれるシグナリング情報に基づいて決定され得、階層変調レイヤに関連するパラメータを含む受信されたＲＲＣシグナリングに基づいて決定され得、および／または受信された基準信号からの情報に基づいて決定され得る。ブロック１６２０において、ＵＥは、ベース変調レイヤからのコンテンツを復号し得る。
【０１１１】
[0132]ブロック１６２５において、ＵＥは、ベース変調レイヤからの信号中の干渉を低減するために、受信信号に対して干渉消去技法を実行し得る。干渉消去は、たとえば、ダウンリンク許可中の制御シグナリング中にまたはＲＲＣシグナリングを通して与えられるベース変調レイヤ送信特性および／またはエンハンスメント変調レイヤ特性に基づき得る。制御シグナリングは、たとえば、干渉緩和を実行する際に使用するベース変調レイヤの信号特徴を含み得る。いくつかの例では、制御シグナリングは、ベース変調レイヤ中に与えられ得る。干渉消去はまた、基準信号からの情報と、ベース変調レイヤおよびエンハンスメント変調レイヤ上での送信のためのチャネル推定とに基づき得る。干渉消去技法は、たとえば、線形最小平均２乗誤差（ＭＭＳＥ）抑制、ＱＲ分解ベースの球復号（ＱＲ−ＳＤ：QR decomposition based sphere decoding）、連続干渉消去（ＳＩＣ：successive interference cancelation）、ＳＬＩＣ、および／またはＣＷＩＣなどの１つまたは複数の確立された干渉消去技法を含み得る。ブロック１６３０において、ＵＥは、エンハンスメント変調レイヤからのコンテンツを復号する。そのようなコンテンツは、ユニキャストデータ、またはベースレイヤＭＢＳＦＮ送信に加えて送信される追加のＭＢＳＦＮ送信など、エンハンスメント変調レイヤを使用して送られると決定されたコンテンツを含み得る。
【０１１２】
[0133]図１７を参照すると、本開示の態様による、階層変調のために構成された基地局１０５−ｄを示す図１７００が示されている。いくつかの実施形態では、基地局１０５−ｄは、図１、図２、図３、および／または図１０の基地局１０５の一例であり得る。基地局１０５−ｄは、図１〜図１６に関して上記で説明した特徴および機能のうちの少なくともいくつかを実装するように構成され得る。基地局１０５−ｄは、プロセッサモジュール１７１０と、メモリモジュール１７２０と、トランシーバモジュール１７５５と、アンテナ１７６０と、基地局階層変調（ＨＭ：hierarchical modulation）モジュール１７７０とを含み得る。基地局１０５−ｄはまた、基地局通信モジュール１７３０とネットワーク通信モジュール１７４０の一方または両方を含み得る。これらの構成要素の各々は、１つまたは複数のバス１７１５を通じて、互いに、直接または間接的に通信していることがある。
【０１１３】
[0134]メモリモジュール１７２０は、ランダムアクセスメモリ（ＲＡＭ）と読取り専用メモリ（ＲＯＭ）とを含み得る。メモリモジュール１７２０はまた、実行されたとき、プロセッサモジュール１７１０に本明細書で説明する様々な機能を実行させるように構成された命令を含んでいるコンピュータ可読、コンピュータ実行可能ソフトウェア（ＳＷ）コード１７２５を記憶し得る。代替的に、ソフトウェアコード１７２５は、プロセッサモジュール１７１０によって直接的に実行可能でないことがあるが、たとえば、コンパイルされ実行されたとき、本明細書で説明する機能をコンピュータに実行させるように構成され得る。
【０１１４】
[0135]プロセッサモジュール１７１０は、インテリジェントハードウェアデバイス、たとえば、中央処理ユニット（ＣＰＵ）、マイクロコントローラ、ＡＳＩＣなどを含み得る。プロセッサモジュール１７１０は、トランシーバモジュール１７５５、基地局通信モジュール１７３０、および／またはネットワーク通信モジュール１７４０を通して受信された情報を処理し得る。プロセッサモジュール１７１０はまた、アンテナ１７６０を通した送信のためにトランシーバモジュール１７５５に、基地局通信モジュール１７３０に、および／またはネットワーク通信モジュール１７４０に送られるべき情報を処理し得る。プロセッサモジュール１７１０は、単独で、または基地局ＨＭモジュール１７７０とともに、本明細書で説明するように、複数の変調レイヤを使用する様々な態様の階層変調を扱い得る。
【０１１５】
[0136]トランシーバモジュール１７５５は、パケットを変調し、変調されたパケットを送信のためにアンテナ１７６０に与え、アンテナ１７６０から受信されたパケットを復調するように構成されたモデムを含み得る。トランシーバモジュール１７５５は、１つまたは複数の送信機モジュールおよび１つまたは複数の別個の受信機モジュールとして実装され得る。トランシーバモジュール１７５５は、複数の階層変調レイヤ上での通信をサポートし得る。トランシーバモジュール１７５５は、たとえば、図１、図２、図３、および／または図１０に示すように、アンテナ１７６０を介して、１つまたは複数のＵＥ１１５と双方向に通信するように構成され得る。基地局１０５−ｄは通常、複数のアンテナ１７６０（たとえば、アンテナアレイ）を含み得る。基地局１０５−ｄは、ネットワーク通信モジュール１７４０を通してコアネットワーク１３０−ａと通信し得る。コアネットワーク１３０−ａは、図１のコアネットワーク１３０の一例であり得る。基地局１０５−ｄは、基地局通信モジュール１７３０を使用して、基地局１０５−ｔおよび基地局１０５−ｕなどの他の基地局と通信し得る。
【０１１６】
[0137]図１７のアーキテクチャによれば、基地局１０５−ｄは、さらに、通信管理モジュール１７５０を含み得る。通信管理モジュール１７５０は、局および／または他のデバイスとの通信を管理し得る。通信管理モジュール１７５０は、１つまたは複数のバス１７１５を介して基地局１０５−ｄの他の構成要素の一部または全部と通信していることがある。代替的には、通信管理モジュール１７５０の機能は、トランシーバモジュール１７５５の構成要素として、コンピュータプログラム製品として、および／あるいはプロセッサモジュール１７１０の１つまたは複数のコントローラ要素として実装され得る。
【０１１７】
[0138]基地局ＨＭモジュール１７７０は、階層変調およびＭＢＳＦＮ送信に関して図１〜図１６において説明した機能または態様の一部または全部を実行および／または制御するように構成され得る。たとえば、基地局ＨＭモジュール１７７０は、ＭＢＳＦＮ送信など、１つまたは複数の他のベースレイヤ送信と同時に送信され得る複数の階層変調レイヤをサポートするように構成され得る。基地局ＨＭモジュール１７７０は、本明細書で説明するように、ベース変調レイヤおよびエンハンスメント変調レイヤ上で送信されるべきコンテンツを決定するように構成されたベースレイヤ／エンハンスメントレイヤ（ＢＬ／ＥＬ）コンテンツ決定モジュール１７８０を含み得る。基準信号モジュール１７８５は、本明細書で説明するように、基準信号を生成し、ベース変調レイヤおよびエンハンスメント変調レイヤのうちの１つまたは複数上で基準信号を送信し得る。ＢＬ／ＥＬコンテンツ変調モジュール１７９０は、ベースレイヤ送信およびエンハンスメントレイヤ送信上にベースレイヤコンテンツとエンハンスメントレイヤコンテンツとを変調し、ベースレイヤとエンハンスメントレイヤとを重畳し、トランシーバモジュール１７５５による送信のために重畳されたレイヤを与え得る。基地局ＨＭモジュール１７７０、またそれの部分は、プロセッサであり得る。さらに、基地局ＨＭモジュール１７７０の機能の一部または全部は、プロセッサモジュール１７１０によって、および／またはプロセッサモジュール１７１０とともに実行され得る。
【０１１８】
[0139]図１８を参照すると、階層変調および干渉消去のために構成されたＵＥ１１５−ｈを示す図１８００が示されている。ＵＥ１１５−ｈは、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなどに含まれるか、またはそれらの一部であり得る。ＵＥ１１５−ｈは、モバイル動作を容易にするために、小型バッテリーなどの内部電源（図示せず）を有し得る。局ＵＥ１１５−ｈは、図１、図２、図３、および／または図１０のＵＥ１１５の一例であり得る。ＵＥ１１５−ｈは、図１〜図１６に関して上記で説明した特徴および機能のうちの少なくともいくつかを実装するように構成され得る。
【０１１９】
[0140]ＵＥ１１５−ｈは、プロセッサモジュール１８１０と、メモリモジュール１８２０と、トランシーバモジュール１８４０と、アンテナ１８５０と、ＵＥ  ＨＭモジュール１８６０とを含み得る。これらの構成要素の各々は、１つまたは複数のバス１８０５を介して直接または間接的に互いと通信していることがある。
【０１２０】
[0141]メモリモジュール１８２０は、ＲＡＭとＲＯＭとを含み得る。メモリモジュール１８２０は、実行されたとき、プロセッサモジュール１８１０に本明細書で説明する様々な機能を実行させるように構成された命令を含んでいるコンピュータ可読、コンピュータ実行可能ソフトウェア（ＳＷ）コード１８２５を記憶し得る。代替的に、ソフトウェアコード１８２５は、プロセッサモジュール１８１０によって直接的に実行可能でないことがあるが、（たとえば、コンパイルされ実行されたとき）本明細書で説明する機能をコンピュータに実行させるように構成され得る。
【０１２１】
[0142]プロセッサモジュール１８１０は、インテリジェントハードウェアデバイス、たとえば、ＣＰＵ、マイクロコントローラ、ＡＳＩＣなどを含み得る。プロセッサモジュール１８１０は、トランシーバモジュール１８４０を通じて受信された情報、および／またはアンテナ１８５０を介する送信のためにトランシーバモジュール１８４０に送信される情報を処理し得る。プロセッサモジュール１８１０は、単独で、またはＵＥ  ＨＭモジュール１８６０とともに、階層変調および干渉消去の様々な態様を扱い得る。
【０１２２】
[0143]トランシーバモジュール１８４０は、基地局（たとえば、基地局１０５）と双方向に通信するように構成され得る。トランシーバモジュール１８４０は、１つまたは複数の送信機モジュールおよび１つまたは複数の別個の受信機モジュールとして実装され得る。トランシーバモジュール１８４０は、複数の階層変調レイヤ上での通信をサポートし得る。トランシーバモジュール１８４０は、パケットを変調し、変調されたパケットを送信のためにアンテナ１８５０に与え、アンテナ１８５０から受信されたパケットを復調するように構成されたモデムを含み得る。ＵＥ１１５−ｈは単一のアンテナを含み得るが、ＵＥ１１５−ｈが複数のアンテナ１８５０を含み得る実施形態があり得る。
【０１２３】
[0144]図１８のアーキテクチャによれば、ＵＥ１１５−ｈは通信管理モジュール１８３０をさらに含み得る。通信管理モジュール１８３０は様々なアクセスポイントとの通信を管理し得る。通信管理モジュール１８３０は、１つまたは複数のバス１８０５上でＵＥ１１５−ｈの他の構成要素の一部または全部と通信しているＵＥ１１５−ｈの構成要素であり得る。代替的には、通信管理モジュール１８３０の機能は、トランシーバモジュール１８４０構成要素として、コンピュータプログラム製品として、および／あるいはプロセッサモジュール１８１０の１つまたは複数のコントローラ要素として実装され得る。
【０１２４】
[0145]ＵＥ  ＨＭモジュール１８６０は、階層変調レイヤの送信および受信および様々な干渉消去手順に関して図１〜図１６において説明したＵＥの機能または態様の一部または全部を実行および／または制御するように構成され得る。たとえば、ＵＥ  ＨＭモジュール１８６０は、複数の階層変調レイヤと複数の変調レイヤに関係する干渉消去とをサポートするように構成され得る。ＵＥ  ＨＭモジュール１８６０は、本明細書で説明するように、１つまたは複数の基地局からの送信のチャネル推定と復号とにおいて使用するために基地局によって送信される１つまたは複数の基準信号を受信するように構成されたＢＬ／ＥＬ  ＲＳモジュール１８６５を含み得る。ＢＬ／ＥＬコンテンツ決定モジュール１８７０は、本明細書で説明するように、エンハンスメント変調レイヤまたはベース変調レイヤの一方または両方上で送信されるコンテンツを決定し得る。ＢＬ／ＥＬ  ＲＳモジュール１８６５はまた、干渉信号に関係する様々なパラメータを決定し得、これは、干渉信号からの干渉を消去するために干渉消去モジュール１８８０によって使用され得る。ＵＥ  ＨＭモジュール１８６０、またそれの部分は、プロセッサであり得る。さらに、ＵＥ  ＨＭモジュール１８６０の機能の一部または全部は、プロセッサモジュール１８１０によって、および／またはプロセッサモジュール１８１０とともに実行され得る。
【０１２５】
[0146]次に図１９を参照すると、基地局１０５−ｅとユーザ機器またはＵＥ１１５−ｉとを含む多入力多出力（ＭＩＭＯ）通信システム１９００のブロック図が示されている。基地局１０５−ｅおよびＵＥ１１５−ｉは、複数の階層変調レイヤおよび／または干渉消去をサポートし得る。基地局１０５−ｅは、図１、図２、図３、図１０、および／または図１７の基地局の一例であり得、一方、ＵＥ１１５−ｉは、図１、図２、図３、図１０、および／または図１８のＵＥの一例であり得る。ＭＩＭＯ通信システム１９００は、図１、図２、図３、および／または図１０のシステム１００、２００、３００、および／または１０００の態様を示し得る。
【０１２６】
[0147]基地局１０５−ｅは、アンテナ１９３４−ａ〜１９３４−ｘを装備し得、ＵＥ１１５−ｉは、アンテナ１９５２−ａ〜１９５２−ｎを装備し得る。ＭＩＭＯ通信システム１９００では、基地局１０５−ｅは、複数の通信リンクを介してデータを同時に送ることが可能であり得る。各通信リンクは「空間レイヤ（spatial layer）」と呼ばれることがあり、通信リンクの「ランク（rank）」は、通信に使用される空間レイヤの数を示し得る。たとえば、基地局１０５−ｅが２つの「空間レイヤ」を送信する２×２ＭＩＭＯシステムでは、基地局１０５−ｅとＵＥ１１５−ｉとの間の通信リンクのランクは２である。
【０１２７】
[0148]基地局１０５−ｅにおいて、送信（Ｔｘ）プロセッサ１９２０は、データソースからデータを受け取り得る。送信プロセッサ１９２０はそのデータを処理し得る。送信プロセッサ１９２０はまた、基準シンボルと、セル固有基準信号とを生成し得る。送信（Ｔｘ）ＭＩＭＯプロセッサ１９３０は、適用可能な場合、データシンボル、制御シンボルおよび／または基準シンボルに対して空間処理（たとえば、プリコーディング）を実行し得、出力シンボルストリームを変調器／復調器１９３２−ａ〜１９３２−ｘに与え得る。各変調器／復調器１９３２は、（たとえば、ＯＦＤＭなどのために）それぞれの出力シンボルストリームを処理して、出力サンプルストリームを取得し得る。各変調器／復調器１９３２はさらに、ダウンリンク（ＤＬ）信号を取得するために、出力サンプルストリームを処理（たとえば、アナログへの変換、増幅、フィルタ処理、およびアップコンバート）し得る。一例では、変調器／復調器１９３２−ａ〜１９３２−ｘからのＤＬ信号は、それぞれ、アンテナ１９３４−ａ〜１９３４−ｘを介して送信され得る。
【０１２８】
[0149]ＵＥ１１５−ｉにおいて、アンテナ１９５２−ａ〜１９５２−ｎは、基地局１０５−ｅからＤＬ信号を受信し得、受信された信号をそれぞれ復調器１９５４−ａ〜１９５４−ｎに与え得る。各復調器１９５４は、入力サンプルを取得するために、それぞれの受信信号を調整（たとえば、フィルタ処理、増幅、ダウンコンバート、およびデジタル化）し得る。各復調器１９５４は、さらに、受信シンボルを取得するために、（たとえば、ＯＦＤＭなどのために）入力サンプルを処理し得る。ＭＩＭＯ検出器１９５６は、すべての復調器１９５４−ａ〜１９５４−ｎから受信シンボルを取得し、適用可能な場合は受信シンボルに対してＭＩＭＯ検出を実施し、検出されたシンボルを与え得る。受信（Ｒｘ）プロセッサ１９５８が、検出されたシンボルを処理（たとえば、復調、デインターリーブ、および復号）し、ＵＥ１１５−ｉのための復号されたデータをデータ出力に与え、復号された制御情報をプロセッサ１９８０、またはメモリ１９８２に与え得る。プロセッサ１９８０は、階層変調および／または干渉消去に関する様々な機能を実行し得るモジュールまたは機能１９８１を含み得る。たとえば、モジュールまたは機能１９８１は、図１〜図１８を参照して上記で説明した機能の一部または全部を実行し得る。
【０１２９】
[0150]アップリンク（ＵＬ）上で、ＵＥ１１５−ｉにおいて、送信（Ｔｘ）プロセッサ１９６４は、データソースからデータを受信し、処理し得る。送信プロセッサ１９６４はまた、基準信号のための基準シンボルを生成し得る。送信プロセッサ１９６４からのシンボルは、適用可能な場合、送信（Ｔｘ）ＭＩＭＯプロセッサ１９６６によってプリコーディングされ、さらに、（たとえば、ＳＣ−ＦＤＭＡなどのための）復調器１９５４−ａ〜１９５４−ｎによって処理され、基地局１０５−ｅから受信された送信パラメータに従って基地局１０５−ｅに送信され得る。基地局１０５−ｅにおいて、ＵＥ１１５−ｉからのＵＬ信号は、アンテナ１９３４によって受信され、変調器／復調器１９３２によって処理され、適用可能な場合、ＭＩＭＯ検出器１９３６によって検出され、さらに、受信プロセッサによって処理され得る。受信（Ｒｘ）プロセッサ１９３８は、復号されたデータをデータ出力とプロセッサ１９４０またはメモリ１９４２とに与え得る。プロセッサ１９４０は、階層変調および／または基準信号送信に関する様々な態様を実行し得るモジュールまたは機能１９４１を含み得る。たとえば、モジュールまたは機能１９４１は、図１〜図１８を参照しながら上記で説明した機能の一部または全部を実行し得る。
【０１３０】
[0151]図２０に、様々な実施形態による、ワイヤレス通信システムにおいて基地局または他のエンティティによって行われ得る方法２０００を示す。方法２０００は、たとえば、図１、図２、図３、図１０、図１７、および／または図１９の基地局、あるいは図５および／または図１２のデバイス５０５によって、またはこれらの図について説明したデバイスの任意の組合せを使用して実行され得る。最初に、ブロック２００５において、基地局は、ベース変調レイヤ上で第１の送信期間中にマルチキャストブロードキャスト単一周波数ネットワーク（ＭＢＳＦＮ）送信を送信し得る。ブロック２０１０において、基地局は、ベース変調レイヤ上に重畳されるエンハンスメント変調レイヤ上で第１の送信期間中にユニキャスト送信を送信し得る。ブロック２００５と２０１０における動作は、図５を参照しながら説明した基地局階層変調モジュール５２０、ならびに／あるいは図１７を参照しながら説明した基地局ＨＭモジュール１７７０を使用して実行され得る。
【０１３１】
[0152]したがって、方法２０００はワイヤレス通信を提供し得る。方法２０００は一実装形態にすぎず、方法２０００の動作は、他の実装形態が可能であるように再構成されるか、または場合によっては修正され得ることに留意されたい。
【０１３２】
[0153]図２１に、様々な実施形態による、ワイヤレス通信システムにおいて基地局または他のエンティティによって行われ得る方法２１００を示す。方法２１００は、たとえば、図１、図２、図３、図１０、図１７、および／または図１９の基地局、あるいは図５および／または図１２のデバイス５０５によって、またはこれらの図について説明したデバイスの任意の組合せを使用して実行され得る。最初に、ブロック２１０５において、基地局は、１つまたは複数のＭＢＳＦＮ送信期間中に送信する際に使用するアグリゲート電力レベルを決定し得る。ブロック２１１０において、基地局は、第１の電力レベルで、ベース変調レイヤ上で第１の送信期間中に第１のＭＢＳＦＮ送信を送信し得、第１の電力レベルは、アグリゲート電力レベルよりも小さい。
【０１３３】
[0154]ブロック２１１５において、基地局は、第２の電力レベルで、ベース変調レイヤ上に重畳されるエンハンスメント変調レイヤ上で第１の送信期間中に第２のＭＢＳＦＮ送信を送信し得、第２の電力レベルは、第１の電力レベルとアグリゲート電力レベルとの間の差である。ブロック２１２０において、基地局は、少なくとも第１のＭＢＳＦＮ送信中で送信される情報を復号する際に使用する基準信号を送信し得、基準信号電力レベルは、第１の電力レベルに対応する。ブロック２１０５〜２１２０における動作は、図１２を参照しながら説明した基地局階層変調モジュール５２０−ａ、ならびに／あるいは図１７を参照しながら説明した基地局ＨＭモジュール１７７０を使用して実行され得る。
【０１３４】
[0155]したがって、方法２１００はワイヤレス通信を提供し得る。方法２１００は一実装形態にすぎず、方法２１００の動作は、他の実装形態が可能であるように再構成されるか、または場合によっては修正され得ることに留意されたい。
【０１３５】
[0156]図２２は、様々な実施形態による、ワイヤレス通信システムにおいてユーザ機器、または他のエンティティによって実行され得る方法２２００を示している。方法２２００は、たとえば、図１、図２、図３、図１０、図１８、および／または図１９のＵＥ、あるいは図１４および／または図１５のデバイス１４０５によって、またはこれらの図について説明したデバイスの任意の組合せを使用して実行され得る。最初に、ブロック２２０５において、ＵＥは、少なくとも第１のＭＢＳＦＮ送信と、ＭＢＳＦＮ送信と同時に送信される少なくとも１つの他の送信と、からの情報を復号する際に使用する第１の基準信号を受信し得る。ブロック２２１０において、ＵＥは、ベース変調レイヤ上での第１のＭＢＳＦＮ送信と、ベース変調レイヤ上に重畳されるエンハンスメント変調レイヤ上での第２のＭＢＳＦＮ送信と、を備える信号を受信し得る。
【０１３６】
[0157]ブロック２２１５において、ＵＥは、データがエンハンスメント変調レイヤから復号されるべきであると決定し得る。ブロック２２２０において、ＵＥは、受信された第１の基準信号に少なくとも部分的に基づいてベース変調レイヤからの干渉を低減するために受信信号に対して干渉緩和を実行し得る。ブロック２２２５において、ＵＥは、受信された第１の基準信号に少なくとも部分的に基づいてエンハンスメント変調レイヤを復号し得る。ブロック２２０５〜２２２５における動作は、図１４および／または図１５を参照しながら説明したＵＥ階層変調モジュール１４２５および／またはＵＥ干渉緩和モジュール１４２０、ならびに／あるいは図１８を参照しながら説明したＵＥ  ＨＭモジュール１８６０を使用して実行され得る。
【０１３７】
[0158]したがって、方法２２００はワイヤレス通信を提供し得る。方法２２００は一実装形態にすぎず、方法２２００の動作は、他の実装形態が可能であるように再構成されるか、または場合によっては修正され得ることに留意されたい。
【０１３８】
[0159]添付の図面に関して上記に記載した詳細な説明は、例示的な実施形態について説明しており、実装され得るまたは特許請求の範囲内に入る実施形態のみを表すものではない。「例」または「例示的」という用語は、この説明全体にわたって使用されるとき、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスはブロック図の形式で示されている。
【０１３９】
[0160]情報および信号は、多種多様な技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４０】
[0161]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１４１】
[0162]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理ロケーションにおいて機能の部分が実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成（composition）が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１４２】
[0163]コンピュータ可読媒体は、ある場所から別の場所へのコンピュータプログラムの転送を容易にする任意の媒体を含む通信媒体と、コンピュータ記憶媒体との両方を含む。記憶媒体は、汎用または専用コンピュータによってアクセスされ得る任意の入手可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１４３】
[0164]本開示についての以上の説明は、当業者が本開示を作成または使用することができるように与えたものである。本開示への様々な変更は当業者には容易に明らかになり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書に記載された例および設計に限定されるべきでなく、本明細書で開示された原理および新規の特徴に合致する最も広い範囲を与えられるべきである。
【図１】
2017528027.tif 000003
【図２】
2017528027.tif 000004
【図３】
2017528027.tif 000005
【図４】
2017528027.tif 000006
【図５】
2017528027.tif 000007
【図６】
2017528027.tif 000008
【図７】
2017528027.tif 000009
【図８】
2017528027.tif 000010
【図９】
2017528027.tif 000011
【図１０】
2017528027.tif 000012
【図１１】
2017528027.tif 000013
【図１２】
2017528027.tif 000014
【図１３】
2017528027.tif 000015
【図１４】
2017528027.tif 000016
【図１５】
2017528027.tif 000017
【図１６】
2017528027.tif 000018
【図１７】
2017528027.tif 000019
【図１８】
2017528027.tif 000020
【図１９】
2017528027.tif 000021
【図２０】
2017528027.tif 000022
【図２１】
2017528027.tif 000023
【図２２】
2017528027.tif 000024
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ベース変調レイヤ上で第１の送信期間中にマルチキャストブロードキャスト単一周波数ネットワーク（ＭＢＳＦＮ）送信を送信することと、
前記ベース変調レイヤ上に重畳されるエンハンスメント変調レイヤ上で前記第１の送信期間中にユニキャスト送信を送信することと、
前記第１の送信期間中に前記エンハンスメント変調レイヤ上で前記ユニキャスト送信中に送信される情報を復号する際に使用する基準信号を送信することと
を備える、方法。
【請求項２】
前記基準信号が、前記ベース変調レイヤ上で送信されるＭＢＳＦＮ基準信号（ＭＢＳＦＮ−ＲＳ）の送信と同時に前記エンハンスメント変調レイヤ上で第１の送信機によって送信されるユーザ機器（ＵＥ）固有基準信号（ＵＥ−ＲＳ）である、請求項１に記載の方法。
【請求項３】
前記基準信号が、前記ベース変調レイヤの１つまたは複数のデータリソース要素をパンクチャする、請求項１に記載の方法。
【請求項４】
前記ユニキャスト送信と前記ＭＢＳＦＮ送信との両方が、拡張サイクリックプレフィックスを使用して送信される、請求項１に記載の方法。
【請求項５】
前記基準信号が、専用基準信号送信リソース中で送信される、請求項１に記載の方法。
【請求項６】
前記基準信号が、物理ダウンリンク制御チャネル（ＰＤＣＣＨ）と共有される基準信号送信リソース中で送信される、請求項１に記載の方法。
【請求項７】
前記ユニキャスト送信が、前記第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項１に記載の方法。
【請求項８】
前記コードブロックのうちの１つまたは複数のためのデータレートが、前記コードブロックと前記基準信号との間の持続時間の関数である、請求項７に記載の方法。
【請求項９】
コードブロックの前記セットのためのデータレートを示す制御情報を送信すること
をさらに備える、請求項８に記載の方法。
【請求項１０】
１つまたは複数の他のユニキャスト送信が、前記第１の送信期間の外部で前記ベース変調レイヤ上で送信され、ここにおいて、前記他のユニキャスト送信の１つまたは複数の送信パラメータが、前記他のユニキャスト送信の送信リソースに関連する第１のチャネル状態情報（ＣＳＩ）報告に少なくとも部分的に基づき、
ここにおいて、前記エンハンスメント変調レイヤ上での前記ユニキャスト送信の１つまたは複数の送信パラメータが、前記エンハンスメント変調レイヤの送信リソースに関連する第２のＣＳＩ報告に少なくとも部分的に基づく、請求項１に記載の方法。
【請求項１１】
前記エンハンスメント変調レイヤユニキャスト送信のためのチャネル推定が、共通基準信号（ＣＲＳ）に少なくとも部分的に基づいて決定され、前記エンハンスメント変調レイヤユニキャスト送信のための雑音推定が、ＭＢＳＦＮ基準信号に少なくとも部分的に基づいて決定される、請求項１０に記載の方法。
【請求項１２】
ワイヤレス通信のための方法であって、
少なくとも第１のマルチキャストブロードキャスト単一周波数ネットワーク（ＭＢＳＦＮ）送信と、前記ＭＢＳＦＮ送信とともに同時に送信される少なくとも１つの他の送信とから情報を復号する際に使用する第１の基準信号を受信することと、
ベース変調レイヤ上でのマルチキャストブロードキャスト単一周波数ネットワーク（ＭＢＳＦＮ）送信と、前記ベース変調レイヤ上に重畳されるエンハンスメント変調レイヤ上での第２の送信とを備える信号を受信することと、
データが前記エンハンスメント変調レイヤから復号されるべきであると決定することと、
前記受信された第１の基準信号に少なくとも部分的に基づいて前記ベース変調レイヤからの干渉を緩和するために前記受信された信号に対して干渉緩和を実行することと、
前記受信された第１の基準信号に少なくとも部分的に基づいて前記エンハンスメント変調レイヤを復号することと
を備える、方法。
【請求項１３】
前記少なくとも１つの他の送信が、前記エンハンスメント変調レイヤ上で送信されるユニキャスト送信である、請求項１２に記載の方法。
【請求項１４】
前記第１の基準信号と前記ユニキャスト送信に関係する少なくとも第２の基準信号とを受信するためのタイミングを示す制御シグナリングを受信すること
をさらに備える、請求項１３に記載の方法。
【請求項１５】
前記第２の基準信号が、前記ベース変調レイヤ上で送信される前記第１の基準信号の送信と同時に前記ベース変調レイヤ上で第１の送信機によって送信されるユーザ機器（ＵＥ）固有基準信号（ＵＥ−ＲＳ）である、請求項１４に記載の方法。
【請求項１６】
前記第１の基準信号に基づいてチャネル推定を実行すること
をさらに備える、請求項１３に記載の方法。
【請求項１７】
前記ユニキャスト送信が、第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項１３に記載の方法。
【請求項１８】
前記第１の基準信号に少なくとも部分的に基づいて前記エンハンスメント変調レイヤ上で送信される前記ユニキャスト送信のためのチャネル推定を実行することと、ここにおいて、前記第１の基準信号が、共通基準信号（ＣＲＳ）である、
ＭＢＳＦＮ基準信号に少なくとも部分的に基づいて前記エンハンスメント変調レイヤ上で送信される前記ユニキャスト送信のための雑音推定を実行することと
をさらに備える、請求項１３に記載の方法。
【請求項１９】
ワイヤレス通信のための装置であって、
ベース変調レイヤ上で第１の送信期間中にマルチキャストブロードキャスト単一周波数ネットワーク（ＭＢＳＦＮ）送信を送信するための手段と、
前記ベース変調レイヤ上に重畳されるエンハンスメント変調レイヤ上で前記第１の送信期間中にユニキャスト送信を送信するための手段と、
前記第１の送信期間中に前記エンハンスメント変調レイヤ上で前記ユニキャスト送信中に送信される情報を復号する際に使用する基準信号を送信するための手段と、
を備える、装置。
【請求項２０】
前記基準信号が、前記ベース変調レイヤ上で送信されるＭＢＳＦＮ基準信号（ＭＢＳＦＮ−ＲＳ）の送信と同時に前記エンハンスメント変調レイヤ上で第１の送信機によって送信されるユーザ機器（ＵＥ）固有基準信号（ＵＥ−ＲＳ）である、請求項１９に記載の装置。
【請求項２１】
前記基準信号が、前記ベース変調レイヤの１つまたは複数のデータリソース要素をパンクチャする、請求項１９に記載の装置。
【請求項２２】
前記ユニキャスト送信と前記ＭＢＳＦＮ送信との両方が、拡張サイクリックプレフィックスを使用して送信される、請求項１９に記載の装置。
【請求項２３】
前記基準信号が、専用基準信号送信リソース中で送信される、請求項１９に記載の装置。
【請求項２４】
前記基準信号が、物理ダウンリンク制御チャネル（ＰＤＣＣＨ）と共有される基準信号送信リソース中で送信される、請求項１９に記載の装置。
【請求項２５】
前記ユニキャスト送信が、前記第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項１９に記載の装置。
【請求項２６】
前記基準信号から時間的にさらに離れて離間された前記コードブロックのうちの１つまたは複数のためのデータレートが、前記基準信号に時間的により近くに離間された前記コードブロックのうちの１つまたは複数のためのデータレートよりも高い、請求項２５に記載の装置。
【請求項２７】
ワイヤレス通信のための装置であって、
少なくとも第１のマルチキャストブロードキャスト単一周波数ネットワーク（ＭＢＳＦＮ）送信と、前記ＭＢＳＦＮ送信とともに同時に送信される少なくとも１つの他の送信とから情報を復号する際に使用する第１の基準信号を受信するための手段と、
ベース変調レイヤ上でのマルチキャストブロードキャスト単一周波数ネットワーク（ＭＢＳＦＮ）送信と、前記ベース変調レイヤ上に重畳されるエンハンスメント変調レイヤ上での第２の送信とを備える信号を受信するための手段と、
データが前記エンハンスメント変調レイヤから復号されるべきであると決定するための手段と、
前記受信された第１の基準信号に少なくとも部分的に基づいて前記ベース変調レイヤからの干渉を緩和するために前記受信された信号に対して干渉緩和を実行するための手段と、
前記受信された第１の基準信号に少なくとも部分的に基づいて前記エンハンスメント変調レイヤを復号するための手段と
を備える、装置。
【請求項２８】
前記少なくとも１つの他の送信が、前記エンハンスメント変調レイヤ上で送信されるユニキャスト送信である、請求項２７に記載の装置。
【請求項２９】
前記ユニキャスト送信を送信することは、エンハンスメントレイヤ送信を受信する受信デバイスの能力に少なくとも部分的に基づく、請求項１に記載の方法。
【請求項３０】
前記ユニキャスト送信を送信するための前記手段は、エンハンスメントレイヤ送信を受信する受信デバイスの能力に少なくとも部分的に基づいて動作可能である、請求項１９に記載の装置。
【手続補正２】
【補正対象書類名】明細書
【補正対象項目名】０１４３
【補正方法】変更
【補正の内容】
【０１４３】
[0164]本開示についての以上の説明は、当業者が本開示を作成または使用することができるように与えたものである。本開示への様々な変更は当業者には容易に明らかになり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書に記載された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信のための方法であって、
ベース変調レイヤ上で第１の送信期間中にマルチキャストブロードキャスト単一周波数ネットワーク（ＭＢＳＦＮ）送信を送信することと、
前記ベース変調レイヤ上に重畳されるエンハンスメント変調レイヤ上で前記第１の送信期間中にユニキャスト送信を送信することと
を備える、方法。
［Ｃ２］
前記第１の送信期間中に前記エンハンスメント変調レイヤ上で前記ユニキャスト送信中で送信される情報を復号する際に使用する基準信号を送信すること
をさらに備える、Ｃ１に記載の方法。
［Ｃ３］
前記基準信号が、前記ベース変調レイヤ上で送信されるＭＢＳＦＮ基準信号（ＭＢＳＦＮ−ＲＳ）の送信と同時に前記エンハンスメント変調レイヤ上で第１の送信機によって送信されるユーザ機器（ＵＥ）固有基準信号（ＵＥ−ＲＳ）である、Ｃ２に記載の方法。
［Ｃ４］
前記基準信号が、前記ベース変調レイヤの１つまたは複数のデータリソース要素をパンクチャする、Ｃ２に記載の方法。
［Ｃ５］
前記ユニキャスト送信と前記ＭＢＳＦＮ送信との両方が、拡張サイクリックプレフィックスを使用して送信される、Ｃ１に記載の方法。
［Ｃ６］
前記基準信号が、専用基準信号送信リソース中で送信される、Ｃ２に記載の方法。
［Ｃ７］
前記基準信号が、物理ダウンリンク制御チャネル（ＰＤＣＣＨ）と共有される基準信号送信リソース中で送信される、Ｃ２に記載の方法。
［Ｃ８］
前記ユニキャスト送信が、前記第１の送信期間中に送信されるコードブロックのセットを使用して送信され、コードブロックの前記セットの各コードブロックのためのデータレートが、前記第１の送信期間内の送信時間に少なくとも部分的に基づいて決定される、Ｃ２に記載の方法。
［Ｃ９］
前記コードブロックのうちの１つまたは複数のためのデータレートが、前記コードブロックと前記基準信号との間の持続時間の関数である、Ｃ８に記載の方法。
［Ｃ１０］
コードブロックの前記セットのためのデータレートを示す制御情報を送信すること
をさらに備える、Ｃ９に記載の方法。
［Ｃ１１］
１つまたは複数の他のユニキャスト送信が、前記第１の送信期間の外部で前記ベース変調レイヤ上で送信され、ここにおいて、前記他のユニキャスト送信の１つまたは複数の送信パラメータが、前記他のユニキャスト送信の送信リソースに関連する第１のチャネル状態情報（ＣＳＩ）報告に少なくとも部分的に基づき、
ここにおいて、前記エンハンスメント変調レイヤ上での前記ユニキャスト送信の１つまたは複数の送信パラメータが、前記エンハンスメント変調レイヤの送信リソースに関連する第２のＣＳＩ報告に少なくとも部分的に基づく、Ｃ２に記載の方法。
［Ｃ１２］
エンハンスメント変調レイヤユニキャスト送信のためのチャネル推定が、共通基準信号（ＣＲＳ）に少なくとも部分的に基づいて決定され、前記エンハンスメント変調レイヤユニキャスト送信のための雑音推定が、ＭＢＳＦＮ基準信号に少なくとも部分的に基づいて決定される、Ｃ１１に記載の方法。
［Ｃ１３］
ワイヤレス通信のための方法であって、
少なくとも第１のマルチキャストブロードキャスト単一周波数ネットワーク（ＭＢＳＦＮ）送信と、前記ＭＢＳＦＮ送信とともに同時に送信される少なくとも１つの他の送信とから情報を復号する際に使用する第１の基準信号を受信することと、
ベース変調レイヤ上でのマルチキャストブロードキャスト単一周波数ネットワーク（ＭＢＳＦＮ）送信と、前記ベース変調レイヤ上に重畳されるエンハンスメント変調レイヤ上での第２の送信とを備える信号を受信することと、
データが前記エンハンスメント変調レイヤから復号されるべきであると決定することと、
前記受信された第１の基準信号に少なくとも部分的に基づいて前記ベース変調レイヤからの干渉を緩和するために前記受信された信号に対して干渉緩和を実行することと、
前記受信された第１の基準信号に少なくとも部分的に基づいて前記エンハンスメント変調レイヤを復号することと
を備える、方法。
［Ｃ１４］
前記少なくとも１つの他の送信が、前記エンハンスメント変調レイヤ上で送信されるユニキャスト送信である、Ｃ１３に記載の方法。
［Ｃ１５］
前記第１の基準信号と前記ユニキャスト送信に関係する少なくとも第２の基準信号とを受信するためのタイミングを示す制御シグナリングを受信すること
をさらに備える、Ｃ１４に記載の方法。
［Ｃ１６］
前記第２の基準信号が、前記ベース変調レイヤ上で送信される前記第１の基準信号の送信と同時に前記ベース変調レイヤ上で第１の送信機によって送信されるユーザ機器（ＵＥ）固有基準信号（ＵＥ−ＲＳ）である、Ｃ１５に記載の方法。
［Ｃ１７］
前記第１の基準信号に基づいてチャネル推定を実行すること
をさらに備える、Ｃ１４に記載の方法。
［Ｃ１８］
前記ユニキャスト送信が、第１の送信期間中に送信されるコードブロックのセットを使用して送信され、コードブロックの前記セットの各コードブロックのためのデータレートが、前記第１の送信期間内の送信時間に少なくとも部分的に基づいて決定される、Ｃ１４に記載の方法。
［Ｃ１９］
前記第１の基準信号に少なくとも部分的に基づいて前記エンハンスメント変調レイヤ上で送信される前記ユニキャスト送信のためのチャネル推定を実行することと、ここにおいて、前記第１の基準信号が、共通基準信号（ＣＲＳ）である、
ＭＢＳＦＮ基準信号に少なくとも部分的に基づいて前記エンハンスメント変調レイヤ上で送信される前記ユニキャスト送信のための雑音推定を実行することと
をさらに備える、Ｃ１４に記載の方法。
［Ｃ２０］
ワイヤレス通信のための装置であって、
ベース変調レイヤ上で第１の送信期間中にマルチキャストブロードキャスト単一周波数ネットワーク（ＭＢＳＦＮ）送信を送信するための手段と、
前記ベース変調レイヤ上に重畳されるエンハンスメント変調レイヤ上で前記第１の送信期間中にユニキャスト送信を送信するための手段と
を備える、装置。
［Ｃ２１］
前記第１の送信期間中に前記エンハンスメント変調レイヤ上で前記ユニキャスト送信中で送信される情報を復号する際に使用する基準信号を送信するための手段
をさらに備える、Ｃ２０に記載の装置。
［Ｃ２２］
前記基準信号が、前記ベース変調レイヤ上で送信されるＭＢＳＦＮ基準信号（ＭＢＳＦＮ−ＲＳ）の送信と同時に前記エンハンスメント変調レイヤ上で第１の送信機によって送信されるユーザ機器（ＵＥ）固有基準信号（ＵＥ−ＲＳ）である、Ｃ２１に記載の装置。
［Ｃ２３］
前記基準信号が、前記ベース変調レイヤの１つまたは複数のデータリソース要素をパンクチャする、Ｃ２１に記載の装置。
［Ｃ２４］
前記ユニキャスト送信と前記ＭＢＳＦＮ送信との両方が、拡張サイクリックプレフィックスを使用して送信される、Ｃ２０に記載の装置。
［Ｃ２５］
前記基準信号が、専用基準信号送信リソース中で送信される、Ｃ２１に記載の装置。
［Ｃ２６］
前記基準信号が、物理ダウンリンク制御チャネル（ＰＤＣＣＨ）と共有される基準信号送信リソース中で送信される、Ｃ２１に記載の装置。
［Ｃ２７］
前記ユニキャスト送信が、前記第１の送信期間中に送信されるコードブロックのセットを使用して送信され、コードブロックの前記セットの各コードブロックのためのデータレートが、前記第１の送信期間内の送信時間に少なくとも部分的に基づいて決定される、Ｃ２１に記載の装置。
［Ｃ２８］
前記基準信号から時間的にさらに離れて離間された前記コードブロックのうちの１つまたは複数のためのデータレートが、前記基準信号に時間的により近くに離間された前記コードブロックのうちの１つまたは複数のためのデータレートよりも高い、Ｃ２７に記載の装置。
［Ｃ２９］
ワイヤレス通信のための装置であって、
少なくとも第１のマルチキャストブロードキャスト単一周波数ネットワーク（ＭＢＳＦＮ）送信と、前記ＭＢＳＦＮ送信とともに同時に送信される少なくとも１つの他の送信とから情報を復号する際に使用する第１の基準信号を受信するための手段と、
ベース変調レイヤ上でのマルチキャストブロードキャスト単一周波数ネットワーク（ＭＢＳＦＮ）送信と、前記ベース変調レイヤ上に重畳されるエンハンスメント変調レイヤ上での第２の送信とを備える信号を受信するための手段と、
データが前記エンハンスメント変調レイヤから復号されるべきであると決定するための手段と、
前記受信された第１の基準信号に少なくとも部分的に基づいて前記ベース変調レイヤからの干渉を緩和するために前記受信された信号に対して干渉緩和を実行するための手段と、
前記受信された第１の基準信号に少なくとも部分的に基づいて前記エンハンスメント変調レイヤを復号するための手段と
を備える、装置。
［Ｃ３０］
前記少なくとも１つの他の送信が、前記エンハンスメント変調レイヤ上で送信されるユニキャスト送信である、Ｃ２９に記載の装置。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ベース変調レイヤ上で第１の送信期間中にマルチキャストブロードキャスト単一周波数ネットワーク（ＭＢＳＦＮ）送信を送信することと、
エンハンスメント変調レイヤ上で前記第１の送信期間中にユニキャスト送信を送信することと、前記エンハンスメント変調レイヤは、前記ベース変調レイヤ上に重畳される、
前記ユニキャスト送信中に送信される情報を復号する際に使用する基準信号を、前記第１の送信期間中に、送信することと
を備える、方法。
【請求項２】
前記基準信号が、前記エンハンスメント変調レイヤ上で送信されるユーザ機器固有基準信号（ＵＥ−ＲＳ）であり、前記方法は、
前記ベース変調レイヤ上でＭＢＳＦＮ基準信号（ＭＢＳＦＮ−ＲＳ）を、前記ＵＥ−ＲＳを送信すると同時に、送信することをさらに備える、請求項１に記載の方法。
【請求項３】
前記基準信号が、前記ベース変調レイヤの１つまたは複数のデータリソース要素をパンクチャする、請求項１に記載の方法。
【請求項４】
前記ユニキャスト送信と前記ＭＢＳＦＮ送信との両方が、拡張サイクリックプレフィックスを使用して送信される、請求項１に記載の方法。
【請求項５】
前記基準信号が、専用基準信号送信リソース中で送信される、請求項１に記載の方法。
【請求項６】
前記基準信号が、物理ダウンリンク制御チャネル（ＰＤＣＣＨ）と共有される基準信号送信リソース中で送信される、請求項１に記載の方法。
【請求項７】
前記ユニキャスト送信が、前記第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項１に記載の方法。
【請求項８】
前記コードブロックのうちの１つまたは複数のためのデータレートが、前記コードブロックと前記基準信号との間の持続時間の関数である、請求項７に記載の方法。
【請求項９】
コードブロックの前記セットのためのデータレートを示す制御情報を送信すること
をさらに備える、請求項８に記載の方法。
【請求項１０】
前記第１の送信期間の外部で前記ベース変調レイヤ上で１つまたは複数の他のユニキャスト送信を送信すること、ここにおいて、前記１つまたは複数の他のユニキャスト送信の１つまたは複数の送信パラメータが、前記他のユニキャスト送信の送信リソースに関連する第１のチャネル状態情報（ＣＳＩ）報告に少なくとも部分的に基づき、
ここにおいて、前記ユニキャスト送信の１つまたは複数の送信パラメータが、前記エンハンスメント変調レイヤの送信リソースに関連する第２のＣＳＩ報告に少なくとも部分的に基づく、請求項１に記載の方法。
【請求項１１】
前記エンハンスメント変調レイヤのためのチャネル推定が、共通基準信号（ＣＲＳ）に少なくとも部分的に基づいて決定され、前記エンハンスメント変調レイヤのための雑音推定が、ＭＢＳＦＮ基準信号に少なくとも部分的に基づいて決定される、請求項１０に記載の方法。
【請求項１２】
ワイヤレス通信のための方法であって、
マルチキャストブロードキャスト単一周波数ネットワーク（ＭＢＳＦＮ）送信から情報を復号する際に使用する第１の基準信号を受信することと、
ベース変調レイヤ上での前記ＭＢＳＦＮ送信と、エンハンスメント変調レイヤ上での第２の送信とを備える信号を受信することと、前記エンハンスメント変調レイヤは、前記ベース変調レイヤ上に重畳される
データが前記エンハンスメント変調レイヤから復号されるべきであると決定することと、
前記ベース変調レイヤからの干渉を緩和するために、前記受信された第１の基準信号に少なくとも部分的に基づいて、前記受信された信号に対して干渉緩和を実行することと、
前記エンハンスメント変調レイヤから前記データを復号することと
を備える、方法。
【請求項１３】
前記第２の送信が、ユニキャスト送信である、請求項１２に記載の方法。
【請求項１４】
前記ユニキャスト送信からの前記データを復号するために少なくとも第２の基準信号と前記第１の基準信号とを受信するためのタイミングを示す制御シグナリングを受信すること
をさらに備える、請求項１３に記載の方法。
【請求項１５】
前記第２の基準信号を受信することをさらに備え、ここにおいて、前記第２の基準信号は、前記ベース変調レイヤ上で前記第１の基準信号を受信すると同時に前記ベース変調レイヤ上で受信されるユーザ機器固有基準信号（ＵＥ−ＲＳ）である、請求項１４に記載の方法。
【請求項１６】
前記第１の基準信号に基づいて前記ベース変調レイヤ、前記エンハンスメント変調レイヤ、またはそれら両方のためにチャネル推定を実行すること
をさらに備える、請求項１２に記載の方法。
【請求項１７】
前記ユニキャスト送信が、第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項１３に記載の方法。
【請求項１８】
前記第１の基準信号に少なくとも部分的に基づいて前記エンハンスメント変調レイヤ上で送信される前記ユニキャスト送信のためのチャネル推定を実行することと、ここにおいて、前記第１の基準信号が、共通基準信号（ＣＲＳ）である、
ＭＢＳＦＮ基準信号に少なくとも部分的に基づいて前記エンハンスメント変調レイヤ上で送信される前記ユニキャスト送信のための雑音推定を実行することと
をさらに備える、請求項１３に記載の方法。
【請求項１９】
ワイヤレス通信のための装置であって、
ベース変調レイヤ上で第１の送信期間中にマルチキャストブロードキャスト単一周波数ネットワーク（ＭＢＳＦＮ）送信を送信するための手段と、
エンハンスメント変調レイヤ上で前記第１の送信期間中にユニキャスト送信を送信するための手段と、前記エンハンスメント変調レイヤは、前記ベース変調レイヤ上に重畳される、
前記ユニキャスト送信中に送信される情報を復号する際に使用する基準信号を、前記第１の送信期間中に、送信するための手段と、
を備える、装置。
【請求項２０】
前記基準信号が、前記エンハンスメント変調レイヤ上で送信されるユーザ機器固有基準信号（ＵＥ−ＲＳ）であり、前記装置は、
前記ベース変調レイヤ上でＭＢＳＦＮ基準信号（ＭＢＳＦＮ−ＲＳ）を、前記ＵＥ−ＲＳを送信すると同時に、送信するための手段をさらに備える、請求項１９に記載の装置。
【請求項２１】
前記基準信号が、前記ベース変調レイヤの１つまたは複数のデータリソース要素をパンクチャする、請求項１９に記載の装置。
【請求項２２】
前記ユニキャスト送信と前記ＭＢＳＦＮ送信との両方が、拡張サイクリックプレフィックスを使用して送信される、請求項１９に記載の装置。
【請求項２３】
前記基準信号が、専用基準信号送信リソース中で送信される、請求項１９に記載の装置。
【請求項２４】
前記基準信号が、物理ダウンリンク制御チャネル（ＰＤＣＣＨ）と共有される基準信号送信リソース中で送信される、請求項１９に記載の装置。
【請求項２５】
前記ユニキャスト送信が、前記第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項１９に記載の装置。
【請求項２６】
前記基準信号から時間的にさらに離れて離間された前記コードブロックのうちの１つまたは複数のためのデータレートが、前記基準信号に時間的により近くに離間された前記コードブロックのうちの１つまたは複数のためのデータレートよりも高い、請求項２５に記載の装置。
【請求項２７】
ワイヤレス通信のための装置であって、
マルチキャストブロードキャスト単一周波数ネットワーク（ＭＢＳＦＮ）送信から情報を復号する際に使用する第１の基準信号を受信するための手段と、
ベース変調レイヤ上での前記ＭＢＳＦＮ送信と、エンハンスメント変調レイヤ上での第２の送信とを備える信号を受信するための手段と、前記エンハンスメント変調レイヤは、前記ベース変調レイヤ上に重畳される、
データが前記エンハンスメント変調レイヤから復号されるべきであると決定するための手段と、
前記ベース変調レイヤからの干渉を緩和するために、前記受信された第１の基準信号に少なくとも部分的に基づいて、前記受信された信号に対して干渉緩和を実行するための手段と、
前記エンハンスメント変調レイヤから前記データを復号するための手段と
を備える、装置。
【請求項２８】
前記第２の送信が、ユニキャスト送信である、請求項２７に記載の装置。
【請求項２９】
前記ユニキャスト送信を送信することは、エンハンスメント変調レイヤ送信を受信する受信デバイスの能力に少なくとも部分的に基づく、請求項１に記載の方法。
【請求項３０】
前記ユニキャスト送信を送信するための前記手段は、エンハンスメント変調レイヤ送信を受信する受信デバイスの能力に少なくとも部分的に基づいて動作可能である、請求項１９に記載の装置。
【国際調査報告】
2017528027.tif 000025
2017528027.tif 000026
2017528027.tif 000027